(57)【特許請求の範囲】
【請求項１】
端末装置と通信する基地局装置であって、
１つのリソースブロックセットにおける第１の探索領域および第２の探索領域に基づいて、拡張物理下りリンク制御チャネルを送信する送信部を備え、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域及び前記第２の探索領域は、前記第１の探索領域と前記第２の探索領域とにおいて、それぞれ異なる周波数に対応するセルの前記拡張物理下りリンク制御チャネルが探索されるように決められる基地局装置。
【請求項２】
基地局装置と通信する端末装置であって、
１つのリソースブロックセットにおける第１の探索領域および第２の探索領域に基づいて、拡張物理下りリンク制御チャネルを受信する受信部を備え、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域と前記第２の探索領域とにおいて、それぞれ異なる周波数に対応するセルの前記拡張物理下りリンク制御チャネルが探索される端末装置。
【請求項３】
端末装置と通信する基地局装置における通信方法であって、
１つのリソースブロックセットにおける第１の探索領域および第２の探索領域に基づいて、拡張物理下りリンク制御チャネルを送信するステップを含み、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域及び前記第２の探索領域は、前記第１の探索領域と前記第２の探索領域とにおいて、それぞれ異なる周波数に対応するセルの前記拡張物理下りリンク制御チャネルが探索されるように決められる通信方法。
【請求項４】
基地局装置と通信する端末装置における通信方法であって、
１つのリソースブロックセットにおける第１の探索領域および第２の探索領域に基づいて、拡張物理下りリンク制御チャネルを受信するステップを含み、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域と前記第２の探索領域とにおいて、それぞれ異なる周波数に対応するセルの前記拡張物理下りリンク制御チャネルが探索される通信方法。
【請求項５】
端末装置と通信する基地局装置に実装される集積回路であって、
１つのリソースブロックセットにおける第１の探索領域および第２の探索領域に基づいて、拡張物理下りリンク制御チャネルを送信する機能を含む一連の機能を前記基地局装置に実現させ、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域及び前記第２の探索領域は、前記第１の探索領域と前記第２の探索領域とにおいて、それぞれ異なる周波数に対応するセルの前記拡張物理下りリンク制御チャネルが探索されるように決められる集積回路。
【請求項６】
基地局装置と通信する端末装置に実装される集積回路であって、
１つのリソースブロックセットにおける第１の探索領域および第２の探索領域に基づいて、拡張物理下りリンク制御チャネルを受信する機能を含む一連の機能を前記端末装置に実現させ、
前記第１の探索領域および前記第２の探索領域は、前記拡張物理下りリンク制御チャネルの候補のセットによってそれぞれ定義され、
前記１つのリソースブロックセットにおいて、前記第１の探索領域および前記第２の探索領域の前記拡張物理下りリンク制御チャネルの候補に対応するリソースは、少なくとも上位層の制御情報に基づく値に基づいて決められ、
前記上位層の制御情報に基づく値は、前記第１の探索領域および前記第２の探索領域で異なり、
前記第１の探索領域と前記第２の探索領域とにおいて、それぞれ異なる周波数に対応するセルの前記拡張物理下りリンク制御チャネルが探索される集積回路。
【発明の詳細な説明】
【技術分野】
【０００１】
本発明は、基地局、端末、通信システムおよび通信方法に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）によるＷｉｒｅｌｅｓｓ  ＬＡＮ、ＷｉＭＡＸ（Worldwide Interoperability for Microwave Access）のような無線通信システムでは、基地局（セル、送信局、送信装置、ｅＮｏｄｅＢ）および端末（移動端末、受信局、移動局、受信装置、ＵＥ（User Equipment））は、複数の送受信アンテナをそれぞれ備え、ＭＩＭＯ（Multi Input Multi Output）技術を用いることにより、データ信号を空間多重し、高速なデータ通信を実現する。
【０００３】
その無線通信システムにおいて、基地局と端末とのデータ通信を実現するためには、基地局は端末に対して様々な制御を行うことが必要である。そのため、基地局は、端末に対して、所定のリソースを用いて、制御情報を通知することにより、下りリンクおよび上りリンクにおけるデータ通信を行う。例えば、基地局は、端末に対して、リソースの割り当て情報、データ信号の変調および符号化情報、データ信号の空間多重数情報、送信電力制御情報等を通知することにより、データ信号を実現する。そのような制御情報は、非特許文献１に記載された方法を用いることができる。
【０００４】
また、下りリンクにおけるＭＩＭＯ技術を用いた通信方法は、様々な方法を用いることができ、例えば、同一のリソースを異なる端末に割り当てるマルチユーザＭＩＭＯ方式や、複数の基地局が互いに協調してデータ通信を行うＣｏＭＰ（Cooperative Multipoint）方式等を用いることができる。
【０００５】
図１３は、マルチユーザＭＩＭＯ方式を行う一例を示す図である。図１３では、基地局１３０１は、下りリンク１３０４を通じて端末１３０２にデータ通信を行い、下りリンク１３０５を通じて端末１３０３にデータ通信を行う。このとき、端末１３０２および端末１３０３は、マルチユーザＭＩＭＯによるデータ通信を行う。下りリンク１３０４および下りリンク１３０５は、周波数方向および時間方向に同一のリソースを用いる。また、下りリンク１３０４および下りリンク１３０５は、プレコーディング技術等を用い、それぞれビームを制御することにより、互いに直交性の維持または同一チャネル干渉の低減を行う。これにより、基地局１３０１は、端末１３０２および端末１３０３に対して、同一のリソースを用いたデータ通信を実現できる。また、各基地局には、端末が基地局を認識するために用いられる基地局に固有の識別番号（セルＩＤ）が設定される。
【０００６】
図１４は、ＣｏＭＰ方式を行う一例を示す図である。図１４では、カバレッジの広いマクロ基地局１４０１と、そのマクロ基地局よりもカバレッジの狭いＲＲＨ（Remote Radio Head）１４０２によりヘテロジーニアスネットワーク構成を用いた無線通信システムを構築する場合を示す。ここで、マクロ基地局１４０１のカバレッジは、ＲＲＨ１４０２のカバレッジの一部または全部を含んで構成する場合を考える。図１４に示す例では、マクロ基地局１４０１、ＲＲＨ１４０２によりヘテロジーニアスネットワーク構成を構築し、互いに協調して、それぞれ下りリンク１４０５および下りリンク１４０６を通じて、端末１４０４に対するデータ通信を行う。マクロ基地局１４０１は、回線１４０３を通じてＲＲＨ１４０２と接続しており、ＲＲＨ１４０２と制御信号やデータ信号を送受信することができる。回線１４０３は、それぞれ光ファイバ等の有線回線やリレー技術を用いた無線回線を用いることができる。このとき、マクロ基地局１４０１およびＲＲＨ１４０２がそれぞれ一部または全部が同一の周波数（リソース）を用いることで、マクロ基地局１４０１が構築するカバレッジのエリア内の総合的な周波数利用効率（伝送容量）が向上できる。
【０００７】
端末１４０４は、基地局１４０１またはＲＲＨ１４０２の付近に位置している場合、基地局１４０１またはＲＲＨ１４０２とシングルセル通信することができる。さらに、端末１４０４は、ＲＲＨ１４０２が構築するカバレッジの端付近（セルエッジ）に位置する場合、マクロ基地局１４０１からの同一チャネル干渉に対する対策が必要になる。マクロ基地局１４０１とＲＲＨ１４０２とのマルチセル通信（協調通信）として、隣接基地局間で互いに協調するＣｏＭＰ方式を用いることにより、セルエッジ領域の端末１４０４に対する干渉を軽減または抑圧する方法が検討されている。また、ヘテロジーニアスネットワーク構成における各基地局のセルＩＤを同じにするＣｏＭＰ方式が検討されている。例えば、そのようなＣｏＭＰ方式として、非特許文献２に記載された方法が検討されている。
【０００８】
一方、基地局は、端末に対してデータ信号を送信する場合、基地局および端末間で共に既知の信号で構成される端末固有参照信号（データ信号復調用参照信号、ＤＭＲＳ；Ｄｅｍｏｄｕｌａｔｉｏｎ  Ｒｅｆｅｒｅｎｃｅ  Ｓｉｇｎａｌ、ＵＥ−ｓｐｅｃｉｆｉｃ  ＲＳ）を多重して送信する。その端末固有参照信号は、端末に対するプレコーディング処理を行う前にデータ信号に対して多重されることができる。そのため、端末は、その端末固有参照信号を用いることによって、基地局が行うプレコーディング処理および伝送路状況を含めた等化チャネルを測定することができる。例えば、非特許文献３で記載された方法を用いることができる。これにより、端末は基地局が行うプレコーディング処理を知らなくとも、基地局が送信するデータ信号を復調処理することができる。
【先行技術文献】
【非特許文献】
【０００９】
【非特許文献１】3rd Generation Partnership Project; Technical Specification Group Radio Access Network; Evolved Universal Terrestrial Radio Access (E-UTRA); Physical layer procedures (Release 10)、2011年6月、3GPP TS 36.212 V10.2.0 (2011-06)。
【非特許文献２】3rd Generation Partnership Project; Technical Specification Group Radio Access Network; Coordinated multi-point operation for LTE physical layer aspects (Release 11)、2011年9月、3GPP TR 36.819 V11.0.0 (2011-09)。
【非特許文献３】3rd Generation Partnership Project; Technical Specification Group Radio Access Network; Evolved Universal Terrestrial Radio Access (E-UTRA); Physical Channels and Modulation、2011年6月、3GPP TS 36.212 V10.2.0 (2011-06)。
【発明の概要】
【発明が解決しようとする課題】
【００１０】
しかしながら、マルチユーザＭＩＭＯ方式やＣｏＭＰ方式のようなＭＩＭＯ通信を行うことができる無線通信システムにおいて、１つの基地局が提供できる伝送容量が向上するため、収容できる端末の数も増加する。そのため、基地局が端末に対して、従来のリソースを用いて制御情報を通知する場合、制御情報を割り当てるリソースが不足する場合が生じることになる。その場合、基地局は、端末に対するデータを効率的に割り当てることが困難となり、伝送効率の向上が妨げられる要因となる。また、端末固有参照信号がセルＩＤに基づいて生成される場合、ヘテロジーニアスネットワーク構成における各基地局のセルＩＤが同じＣｏＭＰ方式では、端末固有参照信号間の干渉が生じてしまい、端末に対するデータ信号の復調に影響を及ぼすことになり、伝送効率の向上が妨げられる要因となる。
【００１１】
本発明は、上記問題を鑑みてなされたものであり、その目的は、基地局と端末が通信する無線通信システムにおいて、基地局が端末に対する制御情報を効率的に通知し、端末に対する端末固有参照信号を効率的に設定することができる基地局、端末、通信システムおよび通信方法を提供することにある。
【課題を解決するための手段】
【００１２】
（１）この発明は上述した課題を解決するためになされたもので、本発明の一態様による基地局は、端末と通信する基地局であって、前記基地局が前記端末に固有に設定する１つの制御チャネル領域に設定される複数の探索領域のそれぞれに対して、前記端末に通知するブロードキャスト信号を含む制御チャネルおよび／またはユニキャスト信号を含む制御チャネルをマッピングする端末固有制御チャネル生成部を備える。
【００１３】
（２）また、本発明の一態様による基地局は上記の基地局であって、前記複数の探索領域は、探索領域毎に、その探索領域を指定するリソースのスタート位置を、前記端末に通知する。
【００１４】
（３）また、本発明の一態様による基地局は上記の基地局であって、前記複数の探索領域は、探索領域毎に、分散マッピング方法を用いた領域または局所マッピング方法を用いた領域であることを、前記端末に通知する。
【００１５】
（４）また、本発明の一態様による基地局は上記の基地局であって、前記端末固有制御チャネル生成部は、前記ブロードキャスト信号を含む制御チャネルを、前記制御チャネル領域内の前記分散マッピング方法を用いた領域にマッピングし、前記ユニキャスト信号を含む制御チャネルを、前記制御チャネル領域内の前記分散マッピング方法を用いた領域または前記局所マッピング方法を用いた領域にマッピングする。
【００１６】
（５）また、本発明の一態様による端末は、基地局と通信する端末であって、  前記基地局が前記端末に固有に設定する１つの制御チャネル領域に設定される複数の探索領域のそれぞれに対して、前記基地局から通知されるブロードキャスト信号を含む制御チャネルおよび／またはユニキャスト信号を含む制御チャネルに対して検出処理を行う制御チャネル処理部を備える。
【００１７】
（６）また、本発明の一態様による端末は上記の端末であって、前記複数の探索領域は、探索領域毎に、分散マッピング方法を用いた領域または局所マッピング方法を用いた領域であることを、前記基地局から通知され、前記制御チャネル処理部は、前記ブロードキャスト信号を含む制御チャネルを検出処理する場合、前記分散マッピング方法を用いた領域として設定された探索領域に対して検出処理し、前記ユニキャスト信号を含む制御チャネルを検出処理する場合、前記分散マッピング方法を用いた領域として設定された探索領域または前記局所マッピング方法を用いた領域として設定された探索領域に対して検出処理を行う。
【００１８】
（７）また、本発明の一態様による通信システムは、前記基地局は、前記基地局が前記端末に固有に設定する１つの制御チャネル領域に設定される複数の探索領域のそれぞれに対して、前記端末に通知するブロードキャスト信号を含む制御チャネルおよび／またはユニキャスト信号を含む制御チャネルをマッピングする端末固有制御チャネル生成部を備え、前記端末は、前記複数の探索領域のそれぞれに対して、前記ブロードキャスト信号を含む制御チャネルおよび／または前記ユニキャスト信号を含む制御チャネルに対して検出処理を行う制御チャネル処理部を備える。
【００１９】
（８）また、本発明の一態様による通信方法は、端末と通信する基地局の通信方法であって、前記基地局が前記端末に固有に設定する１つの制御チャネル領域に設定される複数の探索領域のそれぞれに対して、前記端末に通知するブロードキャスト信号を含む制御チャネルおよび／またはユニキャスト信号を含む制御チャネルをマッピングするステップを有する。
【００２０】
（９）また、本発明の一態様による通信方法は、基地局と通信する端末の通信方法であって、前記基地局が前記端末に固有に設定する１つの制御チャネル領域に設定される複数の探索領域のそれぞれに対して、前記基地局から通知されるブロードキャスト信号を含む制御チャネルおよび／またはユニキャスト信号を含む制御チャネルに対して検出処理を行うステップを有する。
【００２１】
（１０）また、本発明の一態様による通信方法は、基地局と端末とが通信する通信システムの通信方法であって、前記基地局は、前記基地局が前記端末に固有に設定する１つの制御チャネル領域に設定される複数の探索領域のそれぞれに対して、前記端末に通知するブロードキャスト信号を含む制御チャネルおよび／またはユニキャスト信号を含む制御チャネルをマッピングするステップを有し、前記端末は、前記複数の探索領域のそれぞれに対して、前記ブロードキャスト信号を含む制御チャネルおよび／または前記ユニキャスト信号を含む制御チャネルに対して検出処理を行うステップを有する。
【発明の効果】
【００２２】
この発明によれば、基地局と端末が通信する無線通信システムにおいて、基地局が端末に対する制御情報を効率的に通知し、端末に対する端末固有参照信号を効率的に設定することができる。
【図面の簡単な説明】
【００２３】
【図１】本発明の第１の実施形態に係る基地局１００の構成を示す概略ブロック図である。
【図２】本発明の第１の実施形態に係る端末２００の構成を示す概略ブロック図である。
【図３】基地局１００がマッピングする１つのリソースブロックペアの一例を示す図である。
【図４】端末固有参照信号を構成する直交符号の一例を示す図である。
【図５】ＲＮＴＩの一例を示す図である。
【図６】基地局１００がマッピングするチャネルの一例を示す図である。
【図７】端末２００における第２の制御チャネルを検索するためのＳＳの一例を示す図である。
【図８】基地局１００が第２の制御チャネル領域にブロードキャスト信号を含む制御チャネルとユニキャスト信号を含む制御チャネルをマッピングする一例を示す図である。
【図９】制御チャネルに応じて設定される端末固有参照信号と探索領域の一例を示す図である。
【図１０】ブロードキャスト信号を含む制御チャネルに対するブラインドデコーディングの候補を示す図である。
【図１１】ユニキャスト信号を含む制御チャネルに対するブラインドデコーディングの候補を示す図である。
【図１２】端末固有参照信号に対するＲＮＴＩ、探索領域およびＤＣＩフォーマットの組み合わせの一例を示す図である。
【図１３】マルチユーザＭＩＭＯ方式を行う一例を示す図である。
【図１４】ＣｏＭＰ方式を行う一例を示す図である。
【発明を実施するための形態】
【００２４】
（第１の実施形態）
以下、本発明の第１の実施形態について説明する。本第１の実施形態における通信システムは、基地局（送信装置、セル、送信点、送信アンテナ群、送信アンテナポート群、コンポーネントキャリア、ｅＮｏｄｅＢ）および端末（端末装置、移動端末、受信点、受信端末、受信装置、受信アンテナ群、受信アンテナポート群、ＵＥ）を備える。
【００２５】
本発明の通信システムでは、基地局１００は、端末２００とデータ通信を行うため、下りリンクを通じて、制御情報および情報データを送信する。
【００２６】
ここで、制御情報は、誤り検出符号化処理等が施され、制御チャネルにマッピングされる。制御チャネル（ＰＤＣＣＨ；Physical Downlink Control Channel）は、誤り訂正符号化処理や変調処理が施され、第１の制御チャネル（第１の物理制御チャネル）領域、あるいは第１の制御チャネル領域とは異なる第２の制御チャネル（第２の物理制御チャネル）領域を介して送受信される。ただし、ここで言う物理制御チャネルは物理チャネルの一種であり、物理フレーム上に規定される制御チャネルである。
【００２７】
なお、１つの観点から見ると、第１の制御チャネルは、セル固有参照信号と同じ送信ポート（アンテナポート）を用いる物理制御チャネルである。また、第２の制御チャネルは、端末固有参照信号と同じ送信ポートを用いる物理制御チャネルである。端末２００は、第１の制御チャネルに対して、セル固有参照信号を用いて復調し、第２の制御チャネルに対して、端末固有参照信号を用いて復調する。セル固有参照信号は、セル内の全端末に共通の参照信号であって、ほぼすべてのリソースに挿入されているためにいずれの端末も使用可能な参照信号である。このため、第１の制御チャネルは、いずれの端末も復調可能である。一方、端末固有参照信号は、割り当てられたリソースのみに挿入される参照信号であって、データと同じように適応的にプレコーディング処理やビームフォーミング処理を行うことができる。このため、第２の制御チャネルでは、適応的なプレコーディングやビームフォーミングの利得を得ることができる。
【００２８】
また、異なる観点から見ると、第１の制御チャネル領域にマッピングされる制御チャネル（第１の制御チャネル）は、物理サブフレームの前部に位置するＯＦＤＭシンボル（シンボル）上の物理制御チャネルであり、これらのＯＦＤＭシンボル上のシステム帯域幅（コンポーネントキャリア（ＣＣ；Ｃｏｍｐｏｎｅｎｔ  Ｃａｒｒｉｅｒ））全域に配置されうる。また、第２の制御チャネル領域にマッピングされる制御チャネル（第２の制御チャネル）は、物理サブフレームの第１の制御チャネルよりも後方に位置するＯＦＤＭシンボル上の物理制御チャネルであり、これらのＯＦＤＭシンボル上のシステム帯域幅内のうち、一部の帯域に配置されうる。第１の制御チャネルは、物理サブフレームの前部に位置する制御チャネル専用のＯＦＤＭシンボル上に配置されるため、物理データチャネル用の後部のＯＦＤＭシンボルよりも前に受信および復調することができる。また、制御チャネル専用のＯＦＤＭシンボルのみをモニターする端末も受信することができる。また、ＣＣ全域に拡散されて配置されうるため、セル間干渉をランダム化することができる。また、第１の制御チャネル領域は、基地局１００固有に設定される領域であり、基地局１００に接続する全ての端末に共通の領域である。一方、第２の制御チャネルは、通信中の端末が通常受信する共用チャネル（物理データチャネル）用の後部のＯＦＤＭシンボル上に配置される。また、周波数分割多重することにより、第２の制御チャネル同士あるいは第２の制御チャネルと物理データチャネルとを直交多重（干渉無しの多重）することができる。また、第２の制御チャネル領域は、端末２００固有に設定される領域であり、基地局１００に接続する端末毎に設定される領域である。なお、基地局１００は、第２の制御チャネル領域を、複数の端末で共有するように設定することができる。また、第１の制御チャネル領域と第２の制御チャネル領域は、同一の物理サブフレームに配置される。ここで、ＯＦＤＭシンボルは、各チャネルのビットをマッピングする時間方向の単位である。
【００２９】
また、異なる観点から見ると、第１の制御チャネルは、セル固有の物理制御チャネルであり、アイドル状態の端末およびコネクト状態の端末の両方が取得（検出）できる物理チャネルである。また、第２の制御チャネルは、端末固有の物理制御チャネルであり、コネクト状態の端末のみが取得できる物理チャネルである。ここで、アイドル状態とは、基地局がＲＲＣ（Radio Resource Control）の情報を蓄積してない状態（ＲＲＣ＿ＩＤＬＥ状態）や、移動局が間欠受信（ＤＲＸ）を行っている状態など、直ちにデータの送受信を行わない状態である。一方、コネクト状態とは、端末がネットワークの情報を保持している状態（ＲＲＣ＿ＣＯＮＮＥＣＴＥＤ状態）や、移動局が間欠受信（ＤＲＸ）を行っていない状態など、直ちにデータの送受信を行うことができる状態である。第１の制御チャネルは、端末固有のＲＲＣシグナリングに依存せず端末が受信可能なチャネルである。第２の制御チャネルは、端末固有のＲＲＣシグナリングによって設定されるチャネルであり、端末固有のＲＲＣシグナリングによって端末が受信可能なチャネルである。すなわち、第１の制御チャネルは、予め限定された設定により、いずれの端末も受信可能なチャネルであり、第２の制御チャネルは端末固有の設定変更が容易なチャネルである。
【００３０】
図１は、本発明の第１の実施形態に係る基地局１００の構成を示す概略ブロック図である。図１において、基地局１００は、上位レイヤー１０１、データチャネル生成部１０２、第２の制御チャネル生成部１０３、端末固有参照信号多重部１０４、プレコーディング部１０５、第１の制御チャネル割当部１０６、セル固有参照信号生成部１０７、送信信号生成部１０８、送信部１０９を備えている。
【００３１】
上位レイヤー１０１は、端末２００に対する情報データ（トランスポートブロック、コードワード）を生成し、データチャネル領域割当部１０２に出力する。ここで、情報データは、誤り訂正符号化処理を行う単位とすることができる。また、情報データは、ＨＡＲＱ（Hybrid Automatic Repeat reQuest）等の再送制御を行う単位とすることができる。また、基地局１００は、端末２００に複数の情報データを送信することができる。
【００３２】
データチャネル生成部（データチャネル領域割当部、データチャネルマッピング部）１０２は、上位レイヤー１０１が出力した情報データに対して、適応制御を行い、端末２００に対するデータチャネルを生成する。具体的には、データチャネル生成部１０２における適応制御は、誤り訂正符号化を行うための符号化処理、端末２００に固有のスクランブル符号を施すためのスクランブル処理、多値変調方式などを用いるための変調処理、ＭＩＭＯなどの空間多重を行うためのレイヤーマッピング処理などを行う。ここで、データチャネル生成部１０２におけるレイヤーマッピング処理は、端末２００に対して設定するランク数に基づいて、１つ以上のレイヤー（ストリーム）にマッピングする。
【００３３】
第２の制御チャネル生成部（第２の制御チャネル領域割当部、第２の制御チャネルマッピング部、端末固有制御チャネル生成部）１０３は、基地局１００が第２の制御チャネル領域（端末固有制御チャネル領域）を介して、端末２００に対する制御情報を送信する場合に、第２の制御チャネル領域を介して送信する制御チャネルを生成する。また、第２の制御チャネル領域を介して送信される制御チャネルは、ランク数を１に固定し送信することができ、データチャネルと同様に１つ以上のレイヤーにマッピングすることもできる。ここで、第２の制御チャネル領域が共用チャネル上に設定される場合、データチャネル生成部１０２および第２の制御チャネル生成部１０３は、共用チャネル生成部とも呼称される。ここで、第２の制御チャネル領域を介して送信される制御チャネルは、第２の制御チャネルとも呼称される。また、データチャネルまたは第２の制御チャネルは、共用チャネル（共有チャネル）とも呼称される。また、第２の制御チャネルは、Ｅ−ＰＤＣＣＨ（Enhanced PDCCH）、端末固有制御チャネルとも呼称される。
【００３４】
端末固有参照信号多重部（端末固有参照信号生成部、端末固有制御チャネル復調用参照信号多重部、端末固有制御チャネル復調用参照信号生成部）１０４は、端末２００に固有の端末固有参照信号（データチャネル復調用参照信号、第２の制御チャネル復調用参照信号、共用チャネル復調用参照信号、端末固有制御チャネル復調用参照信号、ＤＭ−ＲＳ（Demodulation Reference Signal）、ＤＲＳ（Dedicated Reference Signal）、Ｐｒｅｃｏｄｅｄ  ＲＳ、ＵＥ−ｓｐｅｃｉｆｉｃ  ＲＳ）を生成し、共用チャネルにその端末固有参照信号を多重する。また、端末固有参照信号多重部１０４には、端末固有参照信号を構成するスクランブル符号を生成するための初期値が入力される。端末固有参照信号多重部１０４は、入力されたスクランブル符号の初期値に基づいて、端末固有参照信号を生成する。詳細は後述する。ここで、端末固有参照信号は、多重する共用チャネルのランク数に基づいて設定され、各レイヤーに多重される。なお、端末固有参照信号は、レイヤー間で直交および／または準直交することが好ましい。なお、端末固有参照信号多重部１０４は、端末固有参照信号を生成し、後述する送信信号生成部１０８において多重されるようにしてもよい。
【００３５】
プレコーディング部１０５は、端末固有参照信号多重部１０４により出力された共用チャネルおよび端末固有参照信号に対して、端末２００に固有のプレコーディング処理が行われる。ここで、プレコーディング処理は、端末２００が効率よく受信できるように（例えば、受信電力が最大になるように、または隣接セルからの干渉が小さくなるように、または隣接セルへの干渉が小さくなるように）、生成する信号に対して位相回転などを行うことが好ましい。また、予め決められたプレコーディング行列による処理、ＣＤＤ（Cyclic Delay Diversity）、送信ダイバーシチ（ＳＦＢＣ（Spatial Frequency Block Code）、ＳＴＢＣ（Spatial Time Block Code）、ＴＳＴＤ（Time Switched Transmission Diversity）、ＦＳＴＤ（Frequency Switched Transmission Diversity）など）を用いることができるがこれに限るものではない。ここで、基地局１００は端末２００からプレコーディング処理に関するフィードバック情報であるＰＭＩ（Precoding Matrix Indicator）として複数種類に分けられたものがフィードバックされた場合、基地局１００は、端末２００に対して、その複数のＰＭＩを乗算などによる演算を行った結果に基づいて、プレコーディング処理を行うことができる。
【００３６】
ここで、端末固有参照信号は、基地局１００と端末２００で互いに既知の信号である。さらに、共用チャネルおよび端末固有参照信号は、プレコーディング部１０５により、端末２００に固有のプレコーディング処理が行われる。そのため、端末２００が共用チャネルを復調するに際し、端末固有参照信号は、基地局１００と端末２００との間の下りリンクにおける伝送路状況およびプレコーディング部１０５によるプレコーディング重みの等化チャネルを推定することができる。すなわち、基地局１００は、端末２００に対して、プレコーディング部１０５によるプレコーディング重みを通知する必要が無く、プレコーディング処理された信号を復調することができる。また、第２の制御チャネル領域を介して送信される制御チャネルが端末固有参照信号で復調される場合は、その制御チャネルは、基地局１００においてデータチャネルと同様にプレコーディング処理が行われる。また、その制御チャネルは、端末２００においてデータチャネルと同様に、端末固有参照信号により伝送路状況が推定され、復調処理が行われる。
【００３７】
第１の制御チャネル生成部（第１の制御チャネル領域割当部、第１の制御チャネルマッピング部、セル固有制御チャネル生成部）１０６は、基地局１００が第１の制御チャネル領域（セル固有制御チャネル領域）を介して、端末２００に対する制御情報を送信する場合に、第１の制御チャネル領域を介して送信する制御チャネルを生成する。ここで、第１の制御チャネル領域を介して送信される制御チャネルは、第１の制御チャネルとも呼称される。また、第１の制御チャネルは、セル固有制御チャネルとも呼称される。
【００３８】
セル固有参照信号多重部（セル固有参照信号生成部）１０７は、基地局１００と端末２００との間の下りリンクの伝送路状況を測定するために、基地局１００および端末２００で互いに既知のセル固有参照信号（伝送路状況測定用参照信号、ＣＲＳ（Common RS）、Ｃｅｌｌ−ｓｐｅｃｉｆｉｃ  ＲＳ、Ｎｏｎ−ｐｒｅｃｏｄｅｄ  ＲＳ、セル固有制御チャネル復調用参照信号、第１の制御チャネル復調用参照信号）を生成する。生成されたセル固有参照信号は、第１の制御チャネル生成部１０６により出力された信号に多重される。なお、セル固有参照信号多重部１０７は、セル固有参照信号を生成し、後述する送信信号生成部１０８において多重されるようにしてもよい。
【００３９】
ここで、セル固有参照信号は、基地局１００および端末２００が共に既知の信号であれば、任意の信号（系列）を用いることができる。例えば、基地局１００に固有の番号（セルＩＤ）などの予め割り当てられているパラメータに基づいた乱数や疑似雑音系列を用いることができる。また、アンテナポート間で直交させる方法として、セル固有参照信号をマッピングするリソースエレメントをアンテナポート間で互いにヌル（ゼロ）とする方法、疑似雑音系列を用いた符号分割多重する方法、またはそれらを組み合わせた方法などを用いることができる。なお、セル固有参照信号は、全てのサブフレームに多重しなくてもよく、一部のサブフレームのみに多重してもよい。
【００４０】
また、セル固有参照信号は、プレコーディング部１０５によるプレコーディング処理の後に多重される参照信号である。そのため、端末２００は、セル固有参照信号を用いて、基地局１００と端末２００との間の下りリンクの伝送路状況を測定することができ、プレコーディング部１０５によるプレコーディング処理がされていない信号を復調することができる。例えば、第１の制御チャネルは、セル固有参照信号により復調処理されることができる。
【００４１】
送信信号生成部（チャネルマッピング部）１０８は、セル固有参照信号多重部１０７が出力した信号を、それぞれのアンテナポートのリソースエレメントにマッピング処理を行う。具体的には、送信信号生成部１０８は、データチャネルは共用チャネル（ＰＤＳＣＨ；Physical Downlink Shared Channel）領域のデータチャネル領域にマッピングし、第２の制御チャネルは共用チャネル領域の第２の制御チャネル領域にマッピングする。さらに、送信信号生成部１０８は、第２の制御チャネル領域とは異なる第１の制御チャネル領域に第１の制御チャネルをマッピングする。ここで、基地局１００は、第１の制御チャネル領域および／または第２の制御チャネル領域に、複数の端末宛の制御チャネルをマッピングすることができる。また、第１の制御チャネル領域への制御チャネルの割り当て方法および第２の制御チャネル領域への制御チャネルの割り当て方法は後述する。
【００４２】
ここで、第１の制御チャネルおよび第２の制御チャネルは、それぞれ異なるリソースを介して送信する制御チャネル、および／または、それぞれ異なる参照信号を用いて復調処理する制御チャネル、および／または、端末２００における異なるＲＲＣの状態に応じて送信できる制御チャネルである。また、それぞれの制御チャネルは、いずれのフォーマットの制御情報をマッピングすることができる。なお、それぞれの制御チャネルに対して、マッピングできる制御情報のフォーマットを規定することができる。例えば、第１の制御チャネルは、全てのフォーマットの制御情報をマッピングすることができ、第２の制御チャネルは、一部のフォーマットの制御情報をマッピングすることができる。例えば、第１の制御チャネルは、全てのフォーマットの制御情報をマッピングすることができ、第２の制御チャネルは、端末固有参照信号を用いるデータチャネルの割り当て情報を含むフォーマットの制御情報をマッピングすることができる。
【００４３】
ここで、制御情報は、そのフォーマットが予め規定される。例えば、制御情報は、基地局１００が端末２００に対して通知する目的に応じて規定されることができる。具体的には、制御情報は、端末２００に対する下りリンクのデータチャネルの割り当て情報、端末２００に対する上りリンクのデータチャネル（ＰＵＳＣＨ；Physical Uplink Shared Channel）や制御チャネル（ＰＵＣＣＨ；Physical Uplink Control Channel）の割り当て情報、端末２００に対する送信電力を制御するための情報などとして、規定されることができる。そのため、例えば、基地局１００は、端末２００に対して下りリンクの情報データを送信する場合、端末２００に対する下りリンクのデータチャネルの割り当て情報を含む制御情報がマッピングされた制御チャネル、および、その制御情報に基づいて割り当てられた情報データがマッピングされたデータチャネルを送信する。また、例えば、基地局１００は、端末２００に対する上りリンクのデータチャネルを割り当てる場合、端末２００に対する上りリンクのデータチャネルの割り当て情報を含む制御情報がマッピングされた制御チャネルを送信する。また、基地局１００は、同じサブフレームにおいて、同じ端末２００に対して、複数の異なる制御情報または同じ制御情報を、異なるフォーマットまたは同じフォーマットによって、送信することもできる。なお、基地局１００は、端末２００に対して下りリンクの情報データを送信する場合、端末２００に対する下りリンクのデータチャネルの割り当て情報を含む制御情報がマッピングされた制御チャネルを送信するサブフレームとは異なるサブフレームで下りリンクのデータチャネルを送信することもできる。
【００４４】
ここで、第１の制御チャネル領域は、基地局１００に固有の領域であるため、セル固有制御チャネル領域とも呼称される。また、第２の制御チャネル領域は、基地局１００からＲＲＣシグナリングを通じて設定される、端末２００に固有の領域であるため、端末固有制御チャネル領域とも呼称される。また、第２の制御チャネル領域は、所定の周波数方向の領域と所定の時間方向の領域で構成される２つのリソースブロックが時間方向に連続して配置される領域を単位として設定される。
【００４５】
送信部１０９は、逆高速フーリエ変換（ＩＦＦＴ；Inverse Fast Fourier Transform）、ガードインターバルの付加、無線周波数への変換処理等を行った後、１つまたは複数の送信アンテナ数（送信アンテナポート数）の送信アンテナから送信する。
【００４６】
図２は、本発明の第１の実施形態に係る端末２００の構成を示す概略ブロック図である。図２において、端末２００は、受信部２０１、受信信号処理部２０２、伝搬路推定部２０３、制御チャネル処理部２０４、データチャネル処理部２０５、上位レイヤー２０６を備えている。
【００４７】
受信部２０１は、１つまたは複数の受信アンテナ数（受信アンテナポート数）の受信アンテナにより、基地局１００が送信した信号を受信し、無線周波数からベースバンド信号への変換処理、付加されたガードインターバルの除去、高速フーリエ変換（ＦＦＴ；Fast Fourier Transform）などによる時間周波数変換処理を行う。
【００４８】
受信信号処理部２０２は、基地局１００でマッピングされた信号をデマッピング（分離）する。具体的には、受信信号処理部２０２は、第１の制御チャネルおよび／または第２の制御チャネルおよび／またはデータチャネルをデマッピングし、制御チャネル処理部２０４に出力する。また、受信信号処理部２０２は、多重されたセル固有参照信号および／または端末固有参照信号をデマッピングし、伝搬路推定部２０３に出力する。
【００４９】
伝搬路推定部２０３は、セル固有参照信号および／または端末固有参照信号に基づいて、第１の制御チャネルおよび／または第２の制御チャネルおよび／またはデータチャネルのリソースに対する伝搬路推定を行う。伝搬路推定部２０３は、伝搬路推定の推定結果を、制御チャネル処理部２０４およびデータチャネル処理部２０５に出力する。伝搬路推定部２０３は、データチャネルおよび／または第２の制御チャネルに多重された端末固有参照信号に基づいて、各レイヤー（ランク、空間多重）の各受信アンテナポートに対する、それぞれのリソースエレメントにおける振幅と位相の変動（周波数応答、伝達関数）を推定（伝搬路推定）し、伝搬路推定値を求める。ここで、伝搬路推定部２０３には、端末固有参照信号を構成するスクランブル符号の初期値が入力され、その初期値等に基づいて端末固有参照信号は決定される。また、伝搬路推定部２０３は、第１の制御チャネルに多重されたセル固有参照信号に基づいて、各送信アンテナポートの各受信アンテナポートに対する、それぞれのリソースエレメントにおける振幅と位相の変動を推定し、伝搬路推定値を求める。
【００５０】
制御チャネル処理部２０４は、第１の制御チャネル領域および／または第２の制御チャネル領域にマッピングされた端末２００宛の制御チャネルを探索する。ここで、制御チャネル処理部２０４は、制御チャネルを探索する制御チャネル領域として、第１の制御チャネル領域および／または第２の制御チャネル領域を設定する。第２の制御チャネル領域の設定は、基地局１００が、端末２００に対して通知する上位層の制御情報（例えば、ＲＲＣ（Radio Resource Control）シグナリング）を通じて行われる。例えば、第２の制御チャネル領域の設定は、第２の制御チャネルの端末固有設定情報として、第２の制御チャネルを設定するための制御情報であり、端末１００に固有の設定情報である。第２の制御チャネル領域の設定の詳細は、後述する。
【００５１】
例えば、基地局１００によって、第２の制御チャネルの端末固有設定情報が通知され、第２の制御チャネル領域が設定される場合、制御チャネル処理部２０４は、第２の制御チャネル領域にマッピングされた端末２００宛の制御チャネルを探索する。この場合、制御チャネル処理部２０４は、さらに第１の制御チャネル領域における一部の領域も探索してもよい。例えば、制御チャネル処理部２０４は、さらに第１の制御チャネル領域におけるセル固有の探索領域も探索してもよい。また、基地局１００によって、第２の制御チャネルの端末固有設定情報が通知されず、第２の制御チャネル領域が設定されない場合、制御チャネル処理部２０４は、第１の制御チャネル領域にマッピングされた端末２００宛の制御チャネルを探索する。
【００５２】
ここで、制御チャネル処理部２０４は、第２の制御チャネル領域にマッピングされた端末２００宛の制御チャネルを探索する場合、可能性のある制御チャネルを復調するために、端末固有参照信号を用いる。また、制御チャネル処理部２０４は、第１の制御チャネル領域にマッピングされた端末２００宛の制御チャネルを探索する場合、可能性のある制御チャネルを復調するために、セル固有参照信号を用いる。
【００５３】
具体的には、制御チャネル処理部２０４は、制御情報の種類、マッピングされるリソースの位置、マッピングされるリソースの大きさ等に基づいて得られる制御チャネルの候補の全部または一部を、復調および復号処理を行い、逐次探索する。制御チャネル処理部２０４は、端末２００宛の制御情報か否かを判定する方法として、制御情報に付加される誤り検出符号（例えば、ＣＲＣ（Cyclic Redundancy Check）符号）を用いる。また、このような探索方法は、ブラインドデコーディングとも呼称される。
【００５４】
また、制御チャネル処理部２０４は、端末２００宛の制御チャネルを検出した場合、検出された制御チャネルにマッピングされた制御情報を識別し、端末２００全体（上位レイヤーも含む）で共用され、下りリンクデータチャネルの受信処理、上りリンクデータチャネルや制御チャネルの送信処理、上りリンクにおける送信電力制御など、端末２００における様々な制御に用いられる。
【００５５】
制御チャネル処理部２０４は、検出された制御チャネルに下りリンクデータチャネルの割り当て情報を含む制御情報がマッピングされていた場合、受信信号処理部２０２でデマッピングされたデータチャネルをデータチャネル処理部２０５に出力する。
【００５６】
データチャネル処理部２０５は、制御チャネル処理部２０４から入力されたデータチャネルに対して、伝搬路推定部２０３から入力された伝搬路推定結果を用いた伝搬路補償処理（フィルタ処理）、レイヤーデマッピング処理、復調処理、デスクランブル処理、誤り訂正復号処理などを行い、上位レイヤー２０６に出力する。なお、端末固有参照信号がマッピングされていないリソースエレメントは、端末固有参照信号がマッピングされたリソースエレメントに基づいて、周波数方向および時間方向に補間または平均化等を行い、伝搬路推定を行う。伝搬路補償処理では、入力されたデータチャネルに対して、推定された伝搬路推定値を用いて、伝搬路補償を行い、情報データに基づくレイヤー毎の信号を検出（復元）する。その検出方法としては、ＺＦ（Zero Forcing）規範やＭＭＳＥ（Minimum Mean Square Error）規範の等化、ターボ等化、干渉除去などを用いることができる。レイヤーデマッピング処理では、レイヤー毎の信号をそれぞれの情報データにデマッピング処理を行う。以降の処理は情報データ毎に行われる。復調処理では、用いた変調方式に基づいて復調を行う。デスクランブル処理では、用いたスクランブル符号に基づいて、デスクランブル処理を行う。復号処理では、施した符号化方法に基づいて、誤り訂正復号処理を行う。
【００５７】
図３は、基地局１００がマッピングする１つのリソースブロックペアの一例を示す図である。１つのリソースブロックは所定の周波数方向の領域と所定の時間方向の領域で構成され、１つのリソースブロックペアは時間方向に連続して配置される。図３は、２つのリソースブロック（ＲＢ；Resource Block）を表しており、１つのリソースブロックは周波数方向に１２のサブキャリアと時間方向に７のＯＦＤＭシンボルで構成される。１つのＯＦＤＭシンボルのうち、それぞれのサブキャリアはリソースエレメントと呼称される。リソースブロックペアは周波数方向に並べられ、そのリソースブロックペアの数は基地局毎に設定できる。例えば、そのリソースブロックペアの数は６〜１１０個に設定できる。その時の周波数方向の幅は、システム帯域幅と呼称される。また、リソースブロックペアの時間方向は、サブフレームと呼称される。それぞれのサブフレームのうち、時間方向に前後の７つのＯＦＤＭシンボルは、それぞれスロットとも呼称される。また、以下の説明では、リソースブロックペアは、単にリソースブロックとも呼称される。
【００５８】
図３において、網掛けしたリソースエレメントのうち、Ｒ０〜Ｒ１は、それぞれアンテナポート０〜１のセル固有参照信号を示す。ここで、図３に示すセル固有参照信号は、２つのアンテナポートの場合であるが、その数を変えることができ、例えば、１つのアンテナポートや４つのアンテナポートに対するセル固有参照信号をマッピングすることができる。
【００５９】
ここで、図３に示したアンテナポート０〜１のセル固有参照信号とは異なるセル固有参照信号として、伝送路状況測定用参照信号が設定されることができる。伝送路状況測定用参照信号は、例えば、アンテナポート１５〜２２までの８つのアンテナポートに対応する参照信号として設定されることができる。また、伝送路状況測定用参照信号は、一部のサブフレームにマッピングされることができ、例えば、複数のサブフレーム毎にマッピングされることができる。基地局１００は、ＲＲＣシグナリングを通じて、端末２００に対する端末固有の制御情報として、伝送路状況測定用参照信号を設定する。端末２００は、基地局１００からの設定に基づいて、アンテナポート０〜１のセル固有参照信号および／または伝送路状況測定用参照信号を用いて、フィードバック情報を生成する。
【００６０】
図３において、網掛けしたリソースエレメントのうち、Ｄ１〜Ｄ２は、それぞれＣＤＭ（Code Division Multiplexing）グループ１〜ＣＤＭグループ２の端末固有参照信号を示す。端末固有参照信号は、まずＷａｌｓｈ符号を用いた直交符号がマッピングされ、その後にＧｏｌｄ符号を用いたスクランブル符号が重畳される。また、ＣＤＭグループ１およびＣＤＭグループ２の端末固有参照信号は、ＣＤＭグループ内において、それぞれＷａｌｓｈ符号等の直交符号により符号分割多重される。また、ＣＤＭグループ１およびＣＤＭグループ２の端末固有参照信号は、ＣＤＭグループ間において、互いに周波数分割多重（ＦＤＭ；Frequency Division Multiplexing）される。ここで、端末固有参照信号は、そのリソースブロックペアにマッピングされる制御チャネルやデータチャネルに応じて、８つのアンテナポート（アンテナポート７〜１４）を用いて、最大８ランクまでマッピングすることができる。また、端末固有参照信号は、マッピングするランク数に応じて、ＣＤＭの拡散符号長やマッピングされるリソースエレメントの数を変えることができる。
【００６１】
例えば、ランク数が１〜２の場合における端末固有参照信号は、アンテナポート７〜８として、２チップの拡散符号長により構成され、ＣＤＭグループ１にマッピングされる。ランク数が３〜４の場合における端末固有参照信号は、アンテナポート７〜８に加えて、アンテナポート９〜１０として、２チップの拡散符号長により構成され、ＣＤＭグループ２にさらにマッピングされる。ランク数が５〜８の場合における端末固有参照信号は、アンテナポート７〜１４として、４チップの拡散符号長により構成され、ＣＤＭグループ１およびＣＤＭグループ２にマッピングされる。
【００６２】
図４は、端末固有参照信号を構成する直交符号の一例を示す図である。図４では、アンテナポートの番号は、７〜１４で規定される。また、最大レイヤー数を８とし、レイヤー数に応じて、用いるアンテナポートの番号が異なる。具体的には、レイヤー数が８の場合、アンテナポート７〜１４が用いられる。レイヤー数が８未満の場合、アンテナポート７〜１４の一部が用いられる。例えば、レイヤー数が４の場合、アンテナポート７〜１０が用いられ、レイヤー数が１の場合、アンテナポート７または８のいずれかが用いられる。
【００６３】
また、端末固有参照信号において、各アンテナポートの直交符号は、スクランブル符号によってさらに重畳される。このスクランブル符号は、基地局１００から通知される制御情報に基づいて生成される。例えば、スクランブル符号は、基地局１００から通知されるセルＩＤおよびＲＮＴＩ（Radio Network Temporary Identifier）に基づいて生成される擬似雑音系列から生成される。
【００６４】
スクランブル符号は、各アンテナポートで同一の系列が用いられる。スクランブル符号は以下の式で定義される系列ｒ（ｍ）により与えられる。
【数１】
0005902916.tif 000002
ただし、ＮＲＢｍａｘ，ＤＬは下りリンクにおける最大のリソースブロック数を示し、例えば１１０とすることができる。
【００６５】
また、ｃ（ｎ）はＧｏｌｄ符号であり、以下の式で定義される。
【数２】
0005902916.tif 000003
ただし、Ｎｃは定数であり、例えば１６００とすることができる。
【００６６】
また、１番目のＭ系列の初期値は以下の式で定義される。
【数３】
0005902916.tif 000004
【００６７】
また、２番目のＭ系列の初期値は以下の式で定義される。
【数４】
0005902916.tif 000005
【数５】
0005902916.tif 000006
ただし、ｎｓは無線フレーム内のスロット番号である。ＮＩＤｃｅｌｌはセルＩＤ（Ｉｄｅｎｔｉｔｙ）である。ｎＲＮＴＩはＲＮＴＩの値である。
【００６８】
図５は、ＲＮＴＩの一例を示す図である。ここで、ＲＮＴＩは、基地局１００から通知されるＩＤであり、１６ビットで表される。図５では、ＲＮＴＩを１６進数で表記している。また、ＲＮＴＩは、制御チャネルに対する付加するＣＲＣ符号を生成するためにも用いられることができる。端末は、ＲＮＴＩを用いることにより自分宛の制御チャネルを識別することができる。
【００６９】
また、ＲＮＴＩは、制御チャネルの種類に応じて、異ならせることができる。例えば、通常のデータチャネル（ＰＤＳＣＨ）に対する制御チャネルで用いるＲＮＴＩは、Ｃ−ＲＮＴＩとして設定される。また、ランダムアクセスを行うために用いられるＲＮＴＩは、ＲＡ−ＲＮＴＩとして設定される。また、半永続的（Semi-persistent）にスケジュールされたデータチャネルに対する制御チャネルで用いるＲＮＴＩは、Ｓｅｍｉ−ｐｅｒｓｉｓｔｅｎｔ  ｓｃｈｅｄｕｌｉｎｇ  Ｃ−ＲＮＴＩとして設定される。また、ページングチャネル（ＰＣＨ）に対する制御チャネルで用いるＲＮＴＩは、Ｐ−ＲＮＴＩとして設定される。また、マルチキャストチャネル（ＭＣＣＨ）に対する制御チャネルで用いるＲＮＴＩは、Ｍ−ＲＮＴＩとして設定される。システム情報（ＳＩ）を通知するために用いるＲＮＴＩは、ＳＩ−ＲＮＴＩとして設定される。
【００７０】
また、Ｃ−ＲＮＴＩは、０００１〜ＦＦＦ３の中から選択される。また、ＲＡ−ＲＮＴＩは、００３Ｄ〜ＦＦＦ３の中から選択される。また、Ｍ−ＲＮＴＩは、ＦＦＦＤで固定される。また、Ｐ−ＲＮＴＩは、ＦＦＦＥで固定される。また、ＳＩ−ＲＮＴＩは、ＦＦＦＦで固定される。
【００７１】
網掛けしたリソースエレメントのうち、先頭の１〜３番目のＯＦＤＭシンボルで構成される領域には、第１の制御チャネルが配置される領域（第１の制御チャネル領域）として設定される。また、第１の制御チャネルが配置される領域は、サブフレーム中の前方のＯＦＤＭシンボルにマッピングされ、サブフレーム毎に所定数のＯＦＤＭシンボルを設定することができる。第１の制御チャネルが配置されるＯＦＤＭシンボルの所定数は、ＰＣＦＩＣＨ（Physical Control Format Indicator Channel）を通じて、セル固有の制御情報として報知（通知）される。
【００７２】
また、白く塗りつぶされたリソースエレメントは、共用チャネルが配置される領域（共用チャネル領域）を示す。共用チャネルが配置される領域は、サブフレーム中の後方のＯＦＤＭシンボル、すなわちサブフレーム中の第１の制御チャネルが配置されるＯＦＤＭシンボルとは異なるＯＦＤＭシンボルにマッピングされ、サブフレーム毎に所定数のＯＦＤＭシンボルを設定することができる。なお、共用チャネルが配置される領域の全部または一部は、そのサブフレームにおける第１の制御チャネル領域に関わらず固定された所定のＯＦＤＭシンボルにマッピングされることもできる。例えば、第２の制御チャネルが配置される領域（第２の制御チャネル領域）は、そのサブフレームにおける第１の制御チャネル領域に関わらず、サブフレーム中の４番目から１４番目までのＯＦＤＭシンボルにマッピングされるようにしてもよい。また、共用チャネルが配置される領域は、リソースブロックペア毎に設定することができる。
【００７３】
ここで、リソースブロックは、通信システムが用いる周波数帯域幅（システム帯域幅）に応じて、その数を変えることができる。例えば、６〜１１０個のリソースブロックを用いることができ、その単位をコンポーネントキャリアとも呼称される。さらに、基地局は、端末に対して、周波数アグリゲーションにより、複数のコンポーネントキャリアを設定することもできる。例えば、基地局は、端末に対して、１つのコンポーネントキャリアは２０ＭＨｚで構成し、周波数方向に連続および／または非連続に、５個のコンポーネントキャリアを設定し、通信システムが用いることができるトータルの帯域幅を１００ＭＨｚにすることができる。
【００７４】
図６は、基地局１００がマッピングするチャネルの一例を示す図である。図６は、１２の物理リソースブロックペア（ＰＲＢ；Physical Resource Block）で構成される周波数帯域をシステム帯域幅とする場合を示す。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共用チャネルは、サブフレームにおいて、第１の制御チャネル以外のＯＦＤＭシンボルに配置される。
【００７５】
ここで、ＰＤＣＣＨの構成の詳細について説明する。ＰＤＣＣＨは、複数の制御チャネルエレメント（ＣＣＥ；Control Channel Element）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局１００の送信アンテナの数に応じた下りリンクのセル固有参照信号の送信アンテナポート数に依存する。ＣＣＥは、複数の下りリンクリソースエレメント（１つのＯＦＤＭシンボルおよび１つのサブキャリアで規定されるリソース）により構成される。
【００７６】
基地局１００と端末２００との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００７７】
１個のリソースエレメントグループは周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００７８】
各端末には、ＰＤＣＣＨを検索する領域ＳＳ（Search Space）が設定される。ＳＳは、複数のＣＣＥから構成される。最も小さいＣＣＥから番号の連続する複数のＣＣＥからＳＳは構成され、番号の連続する複数のＣＣＥの数は予め決められている。各ＣＣＥ集合レベルのＳＳは、複数のＰＤＣＣＨの候補の集合体により構成される。ＳＳは、最も小さいＣＣＥから番号がセル内で共通であるＣＳＳ（Cell-specific SS）と、最も小さいＣＣＥから番号が端末固有であるＵＳＳ（UE-specific SS）とに分類される。ＣＳＳには、システム情報あるいはページングに関する情報など、複数の端末が読む制御情報が割り当てられたＰＤＣＣＨ、あるいは下位の送信方式へのフォールバックやランダムアクセスの指示を示す下りリンク／上りリンクグラントが割り当てられたＰＤＣＣＨを配置することができる。
【００７９】
基地局は、端末２００において設定されるＳＳ内の１個以上のＣＣＥを用いてＰＤＣＣＨを送信する。端末２００は、ＳＳ内の１個以上のＣＣＥを用いて受信信号の復号を行ない、自身宛てのＰＤＣＣＨを検出するための処理を行なう（ブラインドデコーディングと呼称される）。端末２００は、ＣＣＥ集合レベル毎に異なるＳＳを設定する。その後、端末２００は、ＣＣＥ集合レベル毎に異なるＳＳ内の予め決められた組み合わせのＣＣＥを用いてブラインドデコーディングを行なう。言い換えると、端末２００は、ＣＣＥ集合レベル毎に異なるＳＳ内の各ＰＤＣＣＨの候補に対してブラインドデコーディングを行なう。端末２００におけるこの一連の処理をＰＤＣＣＨのモニタリングという。
【００８０】
第２の制御チャネル領域にマッピングされる第２の制御チャネル（Ｅ−ＰＤＣＣＨ、ＰＤＣＣＨ  ｏｎ  ＰＤＳＣＨ、Ｅｎｈａｎｃｅｄ  ＰＤＣＣＨ）は、第１の制御チャネル領域以外のＯＦＤＭシンボルに配置される。共用チャネル領域は、異なるリソースブロックに配置される。また、共用チャネル領域が配置されうるリソースブロックは、端末毎に設定される。また、第２の制御チャネルが配置されるＯＦＤＭシンボルのスタート位置は、共用チャネルと同様の方法を用いることができる。すなわち、基地局１００は、第１の制御チャネル領域の一部のリソースをＰＣＦＩＣＨとして設定し、第１の制御チャネル領域のＯＦＤＭシンボル数を示す情報をマッピングすることで実現できる。
【００８１】
また、第２の制御チャネル領域が配置されるＯＦＤＭシンボルのスタート位置は、予め規定しておき、例えば、サブフレームにおける先頭の４番目のＯＦＤＭシンボルとすることができる。そのとき、第１の制御チャネル領域のＯＦＤＭシンボルの数が２以下である場合、第２の制御チャネル領域が配置されるリソースブロックペアにおける２〜３番目のＯＦＤＭシンボルは、信号をマッピングせずにヌルとする。なお、ヌルとして設定されたリソースは、他の制御チャネルやデータチャネルをさらにマッピングすることができる。また、第２の制御チャネル領域を設定するＯＦＤＭシンボルのスタート位置は、上位層の制御情報を通じて設定されることができる。また、図６に示すサブフレームは時間多重され、第２の制御チャネル領域はサブフレーム毎に設定できる。
【００８２】
基地局１００が端末２００に対して第２の制御チャネル領域を通じて制御チャネルを通知する場合、基地局１００は端末２００に対して第２の制御チャネルのモニタリングを設定し、第２の制御チャネル領域に端末２００に対する制御チャネルをマッピングする。また、基地局１００が端末２００に対して第１の制御チャネル領域を通じて制御チャネルを通知する場合、基地局１００は端末２００に対して第２の制御チャネルのモニタリングを設定せずに、第１の制御チャネル領域に端末２００に対する制御チャネルをマッピングする。
【００８３】
一方、端末２００は、基地局１００によって第２の制御チャネルのモニタリングが設定された場合、第２の制御チャネル領域における端末２００宛の制御チャネルをブラインドデコーディングする。また、端末２００は、基地局１００によって第２の制御チャネルのモニタリングが設定されない場合、第２の制御チャネルにおける端末２００宛の制御チャネルをブラインドデコーディングしない。
【００８４】
以下では、第２の制御チャネル領域にマッピングされる制御チャネルについて説明する。第２の制御チャネル領域にマッピングされる制御チャネルは、１つまたは複数の端末に対する制御情報毎（すなわち、ユニキャスト信号またはブロードキャスト信号）に処理され、データチャネルと同様に、スクランブル処理、変調処理、レイヤーマッピング処理、プレコーディング処理等が行われる。また、第２の制御チャネル領域にマッピングされる制御チャネルは、端末固有参照信号と共に、端末２００に固有のプレコーディング処理が行われる。そのとき、プレコーディング処理は、端末２００に好適なプレコーディング重みにより行われることが好ましい。
【００８５】
また、第２の制御チャネル領域にマッピングされる制御チャネルは、サブフレームにおける前方のスロット（第１のスロット）と後方のスロット（第２のスロット）でそれぞれ異なる制御情報を含めてマッピングされることができる。例えば、サブフレームにおける前方のスロットには、基地局１００が端末２００に対して送信する下りリンク共用チャネルにおける割り当て情報（下りリンク割り当て情報）を含む制御チャネルがマッピングされる。また、サブフレームにおける後方のスロットには、端末２００が基地局１００に対して送信する上りリンク共用チャネルにおける割り当て情報（上りリンク割り当て情報）を含む制御チャネルがマッピングされる。なお、サブフレームにおける前方のスロットには、基地局１００が端末２００に対する上りリンク割り当て情報を含む制御チャネルがマッピングされ、サブフレームにおける後方のスロットには、端末２００が基地局１００に対する下りリンク割り当て情報を含む制御チャネルがマッピングされてもよい。
【００８６】
また、第２の制御チャネル領域における前方および／または後方のスロットには、端末２００および／または他の端末に対するデータチャネルがマッピングされてもよい。また、第２の制御チャネル領域における前方および／または後方のスロットには、端末２００および／または他の端末に対する制御チャネルがマッピングされてもよい。
【００８７】
また、第２の制御チャネル領域にマッピングされる制御チャネルには、基地局１００によって、データチャネルと同様の端末固有参照信号が多重される。端末２００は、第２の制御チャネル領域にマッピングされる制御チャネルを、多重される端末固有参照信号によって復調処理を行う。また、アンテナポート７〜１４の一部または全部の端末固有参照信号が用いられる。そのとき、第２の制御チャネル領域にマッピングされる制御チャネルは、複数のアンテナポートを用いてＭＩＭＯ送信することができる。
【００８８】
例えば、第２の制御チャネル領域における端末固有参照信号は、予め規定されたアンテナポートを用いて送信される。具体的には、第２の制御チャネル領域における端末固有参照信号は、予め規定されたアンテナポート７を用いて生成される。
【００８９】
また、第２の制御チャネル領域における端末固有参照信号のスクランブル符号は、ＲＮＴＩに基づいて、決定される。すなわち、第２の制御チャネル領域にマッピングする制御チャネルに対するＲＮＴＩに応じて、その制御チャネルがマッピングされるリソースブロックに用いられる端末固有参照信号のスクランブル符号が決定される。詳細は後述する。
【００９０】
以下では、基地局１００が端末２００に対する第２の制御チャネルの設定方法（第２の制御チャネル領域の設定方法・第２の制御チャネルのモニタリングの設定方法）の一例として、第２の制御チャネル領域の設定および送信モードの設定が、黙示的に第２の制御チャネルのモニタリングの設定を示す。基地局１００は、端末２００に対して、上位層の制御情報を通じて、無線リソースに対する端末固有設定情報（ＲａｄｉｏＲｅｓｏｕｒｃｅＣｏｎｆｉｇＤｅｄｉｃａｔｅｄ）を通知することにより、第２の制御チャネルを設定する。無線リソースに対する端末固有設定情報は、リソースブロックの設定／変更／解放、物理チャネルに対する端末固有の設定等を行うために用いられる制御情報である。
【００９１】
基地局１００は、端末２００に対して、無線リソースに対する端末固有設定情報を通知する。端末２００は、基地局１００からの無線リソースに対する端末固有設定情報に基づいて、無線リソースに対する端末固有の設定を行い、基地局１００に対して無線リソースに対する端末固有設定情報の設定完了を通知する。
【００９２】
無線リソースに対する端末固有設定情報は、物理チャネルに対する端末固有設定情報（ＰｈｙｓｉｃａｌＣｏｎｆｉｇＤｅｄｉｃａｔｅｄ）を含んで構成される。物理チャネルに対する端末固有設定情報は、物理チャネルに対する端末固有の設定を規定する制御情報である。物理チャネルに対する端末固有設定情報は、伝送路状況レポートの設定情報（ＣＱＩ−ＲｅｐｏｒｔＣｏｎｆｉｇ）、アンテナ情報の端末固有設定情報（ＡｎｔｅｎｎａＩｎｆｏＤｅｄｉｃａｔｅｄ）、第２の制御チャネルの端末固有設定情報（ＥＰＤＣＣＨ−ＣｏｎｆｉｇＤｅｄｉｃａｔｅｄ）を含んで構成される。伝送路状況レポートの設定情報は、下りリンク１０３における伝送路状況をレポートするための設定情報を規定するために用いられる。アンテナ情報の端末固有設定情報は、基地局１００における端末固有のアンテナ情報を規定するために用いられる。第２の制御チャネルの端末固有設定情報は、第２の制御チャネルの端末固有の設定情報を規定するために用いられる。また、第２の制御チャネルの端末固有の設定情報は、端末２００に固有の制御情報として通知および設定されるので、設定される第２の制御チャネル領域は、端末２００に固有の領域として設定される。
【００９３】
伝送路状況レポートの設定情報は、非周期的な伝送路状況レポートの設定情報（ｃｑｉ−ＲｅｐｏｒｔＭｏｄｅＡｐｅｒｉｏｄｉｃ）、周期的な伝送路状況レポートの設定情報（ＣＱＩ−ＲｅｐｏｒｔＰｅｒｉｏｄｉｃ）を含んで構成される。非周期的な伝送路状況レポートの設定情報は、上りリンク共用チャネル（ＰＵＳＣＨ；Physical Uplink Shared Channel）を通じて、下りリンク１０３における伝送路状況を非周期的にレポートするための設定情報である。周期的な伝送路状況レポートの設定情報は、上りリンク制御チャネル（ＰＵＣＣＨ；Physical Uplink Control Channel）を通じて、下りリンク１０３における伝送路状況を周期的にレポートするための設定情報である。
【００９４】
アンテナ情報の端末固有設定情報は、送信モード（ｔｒａｎｓｍｉｓｓｉｏｎＭｏｄｅ）を含んで構成される。送信モードは、基地局１００が端末２００に対して通信する送信方法を示す情報である。例えば、送信モードは、送信モード１〜１０として予め規定される。送信モード１はアンテナポート０を用いるシングルアンテナポート送信方式を用いる送信モードである。送信モード２は送信ダイバーシチ方式を用いる送信モードである。送信モード３は、循環遅延ダイバーシチ方式を用いる送信モードである。送信モード４は、閉ループ空間多重方式を用いる送信モードである。送信モード５は、マルチユーザＭＩＭＯ方式を用いる送信モードである。送信モード６は、シングルアンテナポートを用いる閉ループ空間多重方式を用いる送信モードである。送信モード７は、アンテナポート５を用いるシングルアンテナポート送信方式を用いる送信モードである。送信モード８は、アンテナポート７〜８を用いる閉ループ空間多重方式を用いる送信モードである。送信モード９は、アンテナポート７〜１４を用いる閉ループ空間多重方式を用いる送信モードである。また、送信モード１〜９は、第１の送信モードとも呼ばれる。
【００９５】
送信モード１０は、送信モード１〜９とは異なる送信モードとして定義される。例えば、送信モード１０は、ＣｏＭＰ方式を用いる送信モードとすることができる。ここで、ＣｏＭＰ方式の導入による拡張は、伝送路状況レポートの最適化や精度の向上（例えば、ＣｏＭＰ通信時に好適なプレコーディング情報や基地局間の位相差情報等の導入）等を含む。また、送信モード１０は、送信モード１〜９で示す通信方式で実現できるマルチユーザＭＩＭＯ方式を拡張（高度化）した通信方式を用いる送信モードとすることができる。ここで、マルチユーザＭＩＭＯ方式の拡張は、伝送路状況のレポートの最適化や精度の向上（例えば、マルチユーザＭＩＭＯ通信時に好適なＣＱＩ（Channel Quality Indicator）情報等の導入）、同一リソースに多重される端末間の直交性の向上等を含む。
【００９６】
また、送信モード１０は、送信モード１〜９で示した全部または一部の通信方式に加えて、ＣｏＭＰ方式および／または拡張したマルチユーザＭＩＭＯ方式を用いる送信モードとすることができる。例えば、送信モード１０は、送信モード９で示した通信方式に加えて、ＣｏＭＰ方式および／または拡張したマルチユーザＭＩＭＯ方式を用いる送信モードとすることができる。また、送信モード１０は、複数の伝送路状況測定用の参照信号（ＣＳＩ−ＲＳ；Channel State Information-RS）を設定することができる送信モードとすることができる。また、送信モード１０は、第２の送信モードとも呼ばれる。
【００９７】
なお、基地局１００は、複数の送信方式を用いることができる送信モード１０に設定した端末に対して、データチャネルを送信するに際し、複数の送信方式のいずれかを用いたことを通知しなくても通信できる。すなわち、端末２００は、複数の送信方式を用いることができる送信モード１０に設定されたとしても、データチャネルを受信するに際し、複数の送信方式のいずれかを用いたことが通知されなくても通信できる。
【００９８】
ここで、第２の送信モードは、第２の制御チャネルを設定できる送信モードである。すなわち、基地局１００は、端末２００に対して、第１の送信モードに設定した場合、端末２００に対する制御チャネルを第１の制御チャネル領域にマッピングする。また、基地局１００は、端末２００に対して、第２の送信モードに設定した場合、端末２００に対する制御チャネルを第１の制御チャネル領域または第２の制御チャネル領域にマッピングする。一方、端末２００は、基地局１００によって、第１の送信モードに設定された場合、第１の制御チャネルに対してブラインドデコーディングする。また、端末２００は、基地局１００によって、第２の送信モードに設定された場合、第１の制御チャネルおよび／または第２の制御チャネルのいずれかに対してブラインドデコーディングする。
【００９９】
また、端末２００は、第２の送信モードに設定された場合、基地局１００によって第２の制御チャネルの端末固有設定情報が設定されたか否かに基づいて、ブラインドデコーディングする制御チャネルを設定する。すなわち、端末２００は、基地局１００によって、第２の送信モードに設定され、第２の制御チャネルの端末固有設定情報が設定された場合、第１の制御チャネルおよび／または第２の制御チャネルをブラインドデコーディングする。また、端末２００は、基地局１００によって、第２の送信モードに設定され、第２の制御チャネルの端末固有設定情報が設定されない場合、第１の制御チャネルをブラインドデコーディングする。
【０１００】
第２の制御チャネルの端末固有設定情報は、第２の制御チャネルのサブフレーム設定情報（ＥＰＤＣＣＨ−ＳｕｂｆｒａｍｅＣｏｎｆｉｇ−ｒ１１）を含んで構成される。第２の制御チャネルのサブフレーム設定情報は、第２の制御チャネルを設定するためのサブフレーム情報を規定するために用いられる。第２の制御チャネルのサブフレーム設定情報は、サブフレーム設定パターン（ｓｕｂｆｒａｍｅＣｏｎｆｉｇＰａｔｔｅｒｎ−ｒ１１）、第２の制御チャネルの設定情報（ｅｐｄｃｃｈ−Ｃｏｎｆｉｇ−ｒ１１）を含んで構成される。
【０１０１】
サブフレーム設定パターンは、第２の制御チャネルを設定するサブフレームを示す情報である。例えば、サブフレーム設定パターンは、ｎビットのビットマップ形式の情報である。各ビットに示す情報は、第２の制御チャネルとして設定されるサブフレームであるか否かを示す。すなわち、サブフレーム設定パターンは、ｎ個のサブフレームを周期として設定できる。そのとき、同期信号や報知チャネル等がマッピングされる所定のサブフレームは除外されることができる。具体的には、それぞれのサブフレームに規定されるサブフレーム番号をｎで除算した余りが、サブフレーム設定パターンの各ビットに対応する。例えば、ｎは８や４０等の値を予め規定しておく。サブフレーム設定パターンのあるサブフレームに対する情報が「１」である場合、そのサブフレームは、第２の制御チャネルとして設定される。サブフレーム設定パターンのあるサブフレームに対する情報が「０」である場合、そのサブフレームは、第２の制御チャネルとして設定されない。また、端末２００が基地局１００と同期を取るための同期信号や基地局１００の制御情報を報知する報知チャネル等がマッピングされる所定のサブフレームは、第２の制御チャネルとして予め設定されないようにすることができる。また、サブフレーム設定パターンの別の例では、第２の制御チャネルとして設定されるサブフレームのパターンが予めインデックス化され、そのインデックスを示す情報がサブフレーム設定パターンとして規定される。
【０１０２】
第２の制御チャネルの設定情報は、リソース割り当てタイプ（ｒｅｓｏｕｒｃｅＡｌｌｏｃａｔｉｏｎＴｙｐｅ−ｒ１１）、リソース割り当て情報（ｒｅｓｏｕｒｃｅＢｌｏｃｋＡｓｓｉｇｎｍｅｎｔ−ｒ１１）を含んで構成される。
【０１０３】
リソース割り当てタイプは、サブフレーム内において第２の制御チャネル領域として設定するリソースブロックを指定する情報のフォーマット（タイプ）を示す情報である。また、リソース割り当て情報は、第２の制御チャネルとして設定するリソースブロックを指定する情報であり、リソース割り当てタイプのフォーマットに基づいて規定される。なお、リソース割り当て方法が予め固定される場合、リソース割り当てタイプは通知しなくてもよい。
【０１０４】
例えば、リソース割り当てタイプは、タイプ０〜２として複数のリソース割り当て情報を規定することができる。リソース割り当て情報は、ＶＲＢ（Virtual Resource Block、仮想リソースブロック）に対して割り当てるための制御情報である。リソース割り当てタイプがタイプ０の場合、リソース割り当て情報は、複数の連続するＶＲＢを単位として規定されるリソースブロックグループ毎に割り当てることができるビットマップ形式の情報である。なお、リソースブロックグループのＶＲＢ数は、システム帯域幅に応じて規定されることができる。リソース割り当てタイプがタイプ１の場合、リソース割り当て情報は、リソースブロックグループ内の各ＶＲＢが複数のサブセットのいずれかに規定されるリソースブロックグループサブセットにおいて、複数のリソースブロックグループサブセット内のＶＲＢ毎に割り当てることができるビットマップ形式の情報である。また、リソース割り当て情報は、選択されるリソースブロックグループサブセットを示す情報も含まれる。リソース割り当てタイプがタイプ１の場合、リソース割り当て情報は、連続するＶＲＢにおいて、割り当てのスタートとなるＶＲＢを示す情報と、割り当てるＶＲＢ数を示す情報である。また、リソース割り当て情報は、１つのＶＲＢ毎に１ビットが対応するビットマップ形式とすることもできる。
【０１０５】
ここで、ＶＲＢの数は、ＰＲＢの数と同じである。また、ＶＲＢは複数のタイプが規定される。それらのタイプによって、ＶＲＢからＰＲＢへのマッピング（ＰＲＢマッピング）が規定される。Ｌｏｃａｌｉｚｅｄタイプでは、ＶＲＢ番号（ＶＲＢの位置）とＰＲＢ番号（ＰＲＢの番号）が同じになるようにマッピングされる。ここで、ＰＲＢ番号は、周波数の低いＰＲＢから順に付される。また、Ｄｉｓｔｒｉｂｕｔｅｄタイプでは、ＶＲＢ番号がＰＲＢ番号に対して分散する（ランダムになる）ように、予め規定されて方法によりマッピングされる。Ｄｉｓｔｒｉｂｕｔｅｄタイプでは、さらにスロット間でホッピングをすることができ、各ＶＲＢの２番目のスロットがそれぞれ異なるＶＲＢにホッピングすることができる。また、２番目のスロットをホッピングするかしないかは、ＲＲＣシグナリングやＰＤＣＣＨシグナリングにより通知され切り替えてもよいし、予め規定されておいてもよい。以下では、２番目のスロットをホッピングしないことが予め規定される場合を説明する。
【０１０６】
また、リソース割り当てタイプがタイプ０およびタイプ１の場合、ＰＲＢマッピングは、Ｌｏｃａｌｉｚｅｄタイプのみである。リソース割り当てタイプがタイプ２の場合、ＰＲＢマッピングは、ＬｏｃａｌｉｚｅｄタイプまたはＤｉｓｔｒｉｂｕｔｅｄタイプである。第２の制御チャネルの設定情報に含まれるリソース割り当てタイプは、ＰＲＢマッピングについての制御情報（ＰＲＢマッピング情報）も含む。例えば、リソース割り当てタイプは、タイプ０、タイプ１、タイプ２Ｌｏｃａｌｉｚｅｄ、タイプ２Ｄｉｓｔｒｉｂｕｔｅｄのいずれかを示す制御情報とすることができる。
【０１０７】
以上のように、基地局１００は、端末２００に対して、第２の制御チャネルを設定する場合、ＲＲＣシグナリングにより、無線リソースに対する端末固有設定情報に第２の制御チャネルの端末固有設定情報を含めて通知する。また、基地局１００は、端末２００に対して、設定された第２の制御チャネルを変更する場合、同様にＲＲＣシグナリングにより、パラメータを変更した第２の制御チャネルの端末固有設定情報を含む無線リソースに対する端末固有設定情報を通知する。また、基地局１００は、端末２００に対して、設定された第２の制御チャネルを解放（リリース）する場合、同様にＲＲＣシグナリングにより通知する。例えば、第２の制御チャネルの端末固有設定情報を含まない無線リソースに対する端末固有設定情報を通知する。また、第２の制御チャネルの端末固有設定情報を解放するための制御情報を通知してもよい。
【０１０８】
以上の例では、第１の制御チャネル領域には、送信モード１〜１０に設定される端末に対する制御チャネルがマッピングされ、第２の制御チャネル領域には、送信モード１０に設定される端末に対する制御チャネルがマッピングされることができる。すなわち、基地局１００は、端末２００に対して設定される送信モードに関わらず、第１の制御チャネル領域を通じて制御チャネルを通知できる。また、基地局１００は、端末２００に対して送信モード１０を設定する場合に、第２の制御チャネル領域を通じて制御チャネルを通知できる。そのため、基地局１００は、送信モード１０で可能な通信方式を考慮したリソース割り当てのスケジューリングをすることができる。
【０１０９】
特に、第２の制御チャネルを設定できる送信モード１０では、基地局１００は、端末２００に対して、ＣｏＭＰ通信方式やマルチユーザＭＩＭＯ通信方式等を行うことができるため、それらの通信方式を考慮したリソース割り当てのスケジューリングをすることができる。また、基地局１００は、第１の制御チャネルを全ての端末に設定できるため、送信モード１０を設定できない端末に対する後方互換性を保つことができる。また、第１の制御チャネル領域による制御チャネルの通知は、第２の制御チャネルを設定することなく実現できるため、ＲＲＣシグナリングにおける制御情報のオーバーヘッドを低減できる。
【０１１０】
以下では、第２の制御チャネルのマッピング方法の詳細を説明する。基地局１００は、１つまたは複数のＲＢを用いて、１つまたは複数の第２の制御チャネルを送信する。また、第２の制御チャネル領域は、ＲＢペア毎に割り当てられる。
【０１１１】
ここで、第２の制御チャネル領域に対する第２の制御チャネルのマッピング方法が複数規定されることができる。例えば、第２の制御チャネル領域に対する第２の制御チャネルのマッピング方法として、それぞれの第２の制御チャネルがＲＢペアにおける各スロット（すなわち、ＲＢ）を単位としてマッピングされる方法と、それぞれの第２の制御チャネルがＲＢペアにおける各スロットに対して複数に分割したリソースを単位としてマッピングされる方法とが、規定される。すなわち、第２の制御チャネル領域に対する第２の制御チャネルのマッピング方法として、１つのＲＢには１つの第２の制御チャネルの全部または一部がマッピングされる方法（Localizedマッピング、局所マッピング）と、１つのＲＢには複数の第２の制御チャネルの全部または一部がマッピングされる方法（Distributedマッピング、分散マッピング）とが、規定される。ここで、局所マッピング方法を用いた領域は、第２の制御チャネルを周波数方向に局所的にマッピングするため、周波数スケジューリングやプレコーディング処理の効果が得られやすくなる。また、分散マッピング方法を用いた領域は、第２の制御チャネルを周波数方向に分散されてマッピングするため、周波数ダイバーシチの効果が得られやすくなる。
【０１１２】
第２の制御チャネル領域に対する第２の制御チャネルのマッピング方法として、それぞれの第２の制御チャネルがＲＢペアにおける各スロットを単位としてマッピングされる方法を用いることによって、そのＲＢペアにおける各スロットに多重される複数の端末固有参照信号は、第２の制御チャネルを復調処理する際に、平均化や補間等ができ、伝搬路の優れた推定精度を実現できる。
【０１１３】
一方、それぞれの第２の制御チャネルがＲＢペアにおける各スロットに対して複数に分割したリソースを単位としてマッピングされる方法では、設定された第２の制御チャネル領域における各ＲＢをＮ個のリソースに分割し、第２の制御チャネルをその分割されたリソースにマッピングする場合、第２の制御チャネルは複数のＲＢ内のＮ個の分割されたリソースにマッピングされる。
【０１１４】
以下では、端末２００における第２の制御チャネルを検索するためのＳＳを説明する。図７は、端末２００における第２の制御チャネルを検索するためのＳＳの一例を示す図である。図７では、第２の制御チャネル領域に対する第２の制御チャネルのマッピング方法として、それぞれの第２の制御チャネルがＲＢペアにおける各スロットを単位としてマッピングされる方法を用いた場合のＳＳを示している。
【０１１５】
端末２００における第２の制御チャネルを検索するためのＳＳは、１つ以上のリソースブロックからＳＳを構成することができる。すなわち、第２の制御チャネル領域として設定された領域内のリソースブロックを単位とし、１つ以上のリソースブロックからなる集合（ＲＢ  Ａｇｇｒｅｇａｔｉｏｎ）により構成される。この集合を構成するＲＢの数を、「ＲＢ集合レベル」（ＲＢ  ａｇｇｒｅｇａｔｉｏｎ  ｌｅｖｅｌ）と称す。最も小さいＲＢから番号の連続する複数のＲＢからＳＳは構成され、番号の連続する１つ以上のＲＢの数は予め決められている。各ＲＢ集合レベルのＳＳは、複数の第２の制御チャネルの候補の集合体により構成される。
【０１１６】
基地局１００は、第２の制御チャネル領域に対する第２の制御チャネルのマッピング方法のいずれかによって、端末２００において設定されるＳＳ内の１個以上のＲＢを用いて第２の制御チャネルを送信する。端末２００は、ＳＳ内の１個以上のＲＢを用いて受信信号の復号を行ない、自身宛ての第２の制御チャネルを検出するための処理を行なう（ブラインドデコーディングする）。端末２００は、図７で示すように、ＲＢ集合レベル毎に異なるＳＳを設定する。その後、端末２００は、ＲＢ集合レベル毎に異なるＳＳ内の予め決められた組み合わせのＲＢを用いてブラインドデコーディングを行なう。言い換えると、端末２００は、ＲＢ集合レベル毎に異なるＳＳ内の各第２の制御チャネルの候補に対してブラインドデコーディングを行なう（Ｅ−ＰＤＣＣＨをモニタリングする）。
【０１１７】
以下では、以上で説明した第２の制御チャネル領域に対する第２の制御チャネルのマッピング方法の設定（切替）について説明する。また、ここでは、第２の制御チャネル領域に対する第２の制御チャネルのマッピング方法として、それぞれの第２の制御チャネルがＲＢを単位としてマッピングされる方法と、それぞれの第２の制御チャネルがＲＢに対して複数に分割したリソースを単位としてマッピングされる方法との設定方法について説明する。
【０１１８】
第２の制御チャネルのマッピングに関する設定方法（切替方法）の一例では、基地局１００は、端末２００に対して、ＲＲＣシグナリングまたはＰＤＣＣＨシグナリングを通じて、基地局１００が端末２００に用いた第２の制御チャネルのマッピング方法を示す情報を、基地局固有または端末固有の制御情報として、通知する。例えば、第２の制御チャネルの端末固有設定情報は、第２の制御チャネルのマッピング方法を示す情報を含んで構成される。また、例えば、第２の制御チャネルのマッピング方法を示す情報は、報知されるシステム情報として報知される。これにより、基地局１００は、端末２００に対して、第２の制御チャネルのマッピングに関する設定の自由度を高めることができるため、効率の良いデータ伝送が実現できる。
【０１１９】
第２の制御チャネルのマッピングに関する設定方法（切替方法）の別の例では、基地局１００は、端末２００に対して、基地局１００が端末２００に用いた第２の制御チャネルのマッピング方法を黙示的に通知してもよい。例えば、端末２００は、基地局１００に通知または報知される制御情報に基づいて、第２の制御チャネルのマッピング方法を設定されることができる。例えば、端末２００は、基地局１００に通知される送信モードに基づいて、第２の制御チャネルのマッピング方法を設定されることができる。具体的には、端末２００は、基地局１００により第１の送信モードが通知された場合、それぞれの第２の制御チャネルがＲＢを単位としてマッピングされる方法が設定され、基地局１００により第２の送信モードが通知された場合、それぞれの第２の制御チャネルがＲＢに対して複数に分割したリソースを単位としてマッピングされる方法が設定される。例えば、端末２００は、基地局１００に通知される基地局１００のアンテナポート数に基づいて、第２の制御チャネルのマッピング方法を設定されることができる。これにより、基地局１００は、端末２００に対して、新たな制御情報を通知することなく、第２の制御チャネルのマッピングに関する設定が実現できるので、制御情報のオーバーヘッドを低減できる。また、第２の制御チャネルのマッピングに関する設定が送信モードに基づいて行われるため、送信モードに規定または想定される送信方法によって設定することができ、効率の良いデータ伝送が実現できる。
【０１２０】
第２の制御チャネルのマッピングに関する設定方法（切替方法）の別の例では、基地局１００が端末２００に用いた第２の制御チャネルのマッピング方法を黙示的に通知する方法として、端末２００は、基地局１００に通知されるリソース割り当てタイプに基づいて、第２の制御チャネルのマッピング方法を設定されることができる。具体的には、端末２００は、基地局１００によりリソース割り当てタイプとしてタイプ０またはタイプ２Ｌｏｃａｌｉｚｅｄが通知された場合、それぞれの第２の制御チャネルがＲＢを単位としてマッピングされる方法が設定される。また、端末２００は、基地局１００によりリソース割り当てタイプとしてタイプ１またはタイプ２Ｄｉｓｔｒｉｂｕｔｅｄが通知された場合、それぞれの第２の制御チャネルがＲＢに対して複数に分割したリソースを単位としてマッピングされる方法が設定される。これにより、基地局１００は、端末２００に対して、新たな制御情報を通知することなく、第２の制御チャネルのマッピングに関する設定が実現できるので、制御情報のオーバーヘッドを低減できる。また、第２の制御チャネルのマッピングに関する設定がリソース割り当てタイプに基づいて行われるため、ＰＲＢに対して連続してマッピングされない場合に周波数ダイバーシチ効果を高めることができ、効率の良いデータ伝送が実現できる。
【０１２１】
第２の制御チャネルのマッピングに関する設定方法（切替方法）の別の例では、基地局１００が端末２００に用いた第２の制御チャネルのマッピング方法を黙示的に通知する方法として、端末２００は、第２の制御チャネルにおける制御情報のフォーマット（ＤＣＩフォーマット）に基づいて、第２の制御チャネルのマッピング方法を設定されることができる。具体的には、端末２００は、ＤＣＩフォーマットのビット数が所定数よりも少ない第２の制御チャネルに対しては、それぞれの第２の制御チャネルがＲＢを単位としてマッピングされる方法が設定される。また、端末２００は、ＤＣＩフォーマットのビット数が所定数よりも多い第２の制御チャネルに対しては、それぞれの第２の制御チャネルがＲＢに対して複数に分割したリソースを単位としてマッピングされる方法が設定される。これにより、基地局１００は、端末２００に対して、新たな制御情報を通知することなく、第２の制御チャネルのマッピングに関する設定が実現できるので、制御情報のオーバーヘッドを低減できる。また、第２の制御チャネルのマッピングに関する設定がＤＣＩフォーマットに基づいて行われるため、ＤＣＩフォーマットのビット数に応じて周波数ダイバーシチ効果を切り替えることができ、効率の良いデータ伝送が実現できる。
【０１２２】
第２の制御チャネルのマッピングに関する設定方法（切替方法）の別の例では、端末２００は、第２の制御チャネル領域内のブラインドデコーディングにおけるアグリゲーションレベルに基づいて、第２の制御チャネル領域に対する第２の制御チャネルのマッピング方法を設定することができる。図１２は、端末２００における第２の制御チャネルを検索するためのＳＳの一例を示す図である。端末２００が第２の制御チャネル領域内の第２の制御チャネルをブラインドデコーディングするに際し、アグリゲーションレベルが１の場合は、それぞれの第２の制御チャネルがＲＢに対して複数に分割したリソースを単位としてマッピングされる方法を用い、アグリゲーションレベルが１以外の場合は、それぞれの第２の制御チャネルがＲＢを単位としてマッピングされる方法を用いる。一方、基地局１００は、端末２００に送信する第２の制御チャネルのビット数（情報量）または送信するために必要なＲＢ数に基づいて、第２の制御チャネル領域に対する第２の制御チャネルのマッピング方法を設定することができる。例えば、基地局１００は、端末２００に送信する第２の制御チャネルに必要なＲＢ数が１の場合、それぞれの第２の制御チャネルがＲＢに対して複数に分割したリソースを単位としてマッピングされる方法を用いる。基地局１００は、端末２００に送信する第２の制御チャネルに必要なＲＢ数が２以上の場合、それぞれの第２の制御チャネルがＲＢを単位としてマッピングされる方法を用いる。これにより、基地局１００は、端末２００に対して、新たな制御情報を通知することなく、第２の制御チャネルのマッピングに関する設定が実現できるので、制御情報のオーバーヘッドを低減できる。また、１個のＲＢに相当する情報量の第２の制御チャネルは、複数のＲＢの一部に分散されてマッピングされるため、端末２００において周波数ダイバーシチ効果が得られる。また、１個以上のＲＢに相当する情報量の第２の制御チャネルは、そのＲＢペアにおける各スロットに多重される複数の端末固有参照信号に対して、第２の制御チャネルを復調処理する際に、平均化や補間等ができ、伝搬路の優れた推定精度を実現できる。
【０１２３】
以下では、基地局１００が、第２の制御チャネル領域にブロードキャスト信号を含む制御チャネルとユニキャスト信号を含む制御チャネルをマッピングする場合を説明する。
【０１２４】
図８は、基地局１００が第２の制御チャネル領域にブロードキャスト信号を含む制御チャネルとユニキャスト信号を含む制御チャネルをマッピングする一例を示す図である。図８の例では、１ＲＢで構成されるブロードキャスト信号を含む制御チャネル８０１と、２ＲＢで構成されるブロードキャスト信号を含む制御チャネル８０２と、１ＲＢで構成されるユニキャスト信号を含む制御チャネル８０３と、４ＲＢで構成されるユニキャスト信号を含む制御チャネル８０４とがマッピングされている。
【０１２５】
ここで、基地局１００は、ブロードキャスト信号を含む制御チャネルとユニキャスト信号を含む制御チャネルとで、マッピングされるＲＢで用いられる端末固有参照信号を異ならせることができる。また、基地局１００は、ブロードキャスト信号を含む制御チャネルとユニキャスト信号を含む制御チャネルとを、それぞれ独立に設定できる領域にマッピングすることができる。すなわち、端末２００から見た場合、第２の制御チャネル領域における探索領域が、ブロードキャスト信号を含む制御チャネルとユニキャスト信号を含む制御チャネルとで、それぞれ独立に設定されることができる。
【０１２６】
図９は、制御チャネルに応じて設定される端末固有参照信号と探索領域の一例を示す図である。ブロードキャスト信号を含む制御チャネルは、その制御チャネルがマッピングされるＲＢに対して第１の端末固有参照信号が用いられ、第１の探索領域にマッピングされる。また、ユニキャスト信号を含む制御チャネルは、その制御チャネルがマッピングされるＲＢに対して第２の端末固有参照信号が用いられ、第１の探索領域および／または第２の探索領域にマッピングされる。
【０１２７】
ここで、ブロードキャスト信号は、複数の端末に通知する制御信号である。例えば、ブロードキャスト信号は、ＭＣＣＨで通知される信号、ページング情報のための信号、システム情報のための信号などである。また、ブロードキャスト信号を含む制御チャネルは、Ｍ−ＲＮＴＩ、Ｐ−ＲＮＴＩまたはＳＩ−ＲＮＴＩに基づいて生成されるＣＲＣ符号が付加された制御チャネルとすることができる。ここで、ユニキャスト信号は、１つの端末に通知する制御信号である。例えば、ユニキャスト信号は、データチャネル（ＰＤＳＣＨ）のスケジューリング情報（マッピング情報）を含む信号などである。また、ユニキャスト信号を含む制御チャネルは、Ｃ−ＲＮＴＩ、Ｓｅｍｉ−ｐｅｒｓｉｓｔｅｎｔ  Ｓｃｈｅｄｕｌｉｎｇ  Ｃ−ＲＮＴＩまたはＲＡ−ＲＮＴＩに基づいて生成されるＣＲＣ符号が付加された制御チャネルとすることができる。
【０１２８】
ここで、第１の端末固有参照信号（第１の端末固有制御チャネル復調用参照信号）は、複数の端末が生成することができる端末固有参照信号である。また、第１の端末固有参照信号（第１の端末固有制御チャネル復調用参照信号）は、基地局に固有の参照信号とすることもできる。例えば、第１の端末固有参照信号は、従来のシステムで用いられる端末固有参照信号と同じにすることができる。具体的には、第１の端末固有参照信号は、以下の数６で表される初期値Ｃｉｎｉｔに基づいて生成されるスクランブル符号を用いる。
【数６】
0005902916.tif 000007
なお、ｎＳＣＩＤは、基地局１００から通知される値であり、０または１を示すことができる。また、予め０に固定しておくこともできる。また、第１の端末固有参照信号は、ブロードキャスト信号に対するＲＮＴＩに基づいて生成されるスクランブル符号を用いることができる。すなわち、第１の端末固有参照信号は、Ｍ−ＲＮＴＩ、Ｐ−ＲＮＴＩまたはＳＩ−ＲＮＴＩに基づいて生成されるスクランブル符号を用いることができる。ここで、第２の端末固有参照信号（第２の端末固有制御チャネル復調用参照信号）は、それぞれの端末が生成することができる端末固有参照信号である。例えば、第２の端末固有参照信号は、ユニキャスト信号に対するＲＮＴＩに基づいて生成されるスクランブル符号を用いることができる。すなわち、第１の端末固有参照信号は、Ｃ−ＲＮＴＩ、Ｓｅｍｉ−ｐｅｒｓｉｓｔｅｎｔ  Ｓｃｈｅｄｕｌｉｎｇ  Ｃ−ＲＮＴＩまたはＲＡ−ＲＮＴＩに基づいて生成されるスクランブル符号を用いることができる。
【０１２９】
ここで、第１の探索領域は、複数の端末に共通の領域（セルに固有の領域）として設定される。第１の探索領域は、共通探索領域（Common search space）とも呼称される。ここで、第１の探索領域は、それぞれの端末に固有の領域として設定される。第２の探索領域は、端末固有探索領域（UE-specific search space）とも呼称される。また、探索領域は、ＲＢ単位に設定される領域である。ブロードキャスト信号を含む制御チャネルは、第１の探索領域内のいずれかのＲＢにマッピングされる。ユニキャスト信号を含む制御チャネルは、第１の探索領域および第２の探索領域内のいずれかのＲＢにマッピングされる。
【０１３０】
基地局１００は、端末２００に対して、第２の制御チャネル領域における探索領域を設定することができる。第２の制御チャネル領域における探索領域のある設定方法では、まず、第１の探索領域および／または第２の探索領域が設定され、設定された第１の探索領域および／または第２の探索領域に対して、第２の制御チャネル領域における所定の領域が設定される。例えば、第１の探索領域および／または第２の探索領域は、第２の制御チャネル領域において、スタートとなるＲＢの番号（位置）とＲＢの数（範囲）を予め規定しておくことができる。また、第１の探索領域および／または第２の探索領域は、第２の制御チャネル領域における基地局１００から通知される所定の領域に対して設定できる。その所定の領域は、基地局１００からＲＲＣシグナリングまたはＰＤＣＣＨシグナリングを通じて通知される。例えば、スタートとなるＲＢの番号（位置）とＲＢの数（範囲）が基地局１００から通知され、第１の探索領域および／または第２の探索領域に対して、通知されたスタートとなるＲＢの番号（位置）とＲＢの数（範囲）が設定される。なお、ＲＢ数は予め規定しておいてもよく、通知される情報はスタートＲＢのみでもよい。なお、第１の探索領域および第２の探索領域は、それぞれ１つのＲＢには１つの第２の制御チャネルの全部または一部がマッピングされる方法（Localizedマッピング、局所マッピング）を用いた領域、および、１つのＲＢには複数の第２の制御チャネルの全部または一部がマッピングされる方法（Distributedマッピング、分散マッピング）を用いた領域がさらに設定されてもよい。また、第１の探索領域および／または第２の探索領域は、１つの第２の制御チャネル領域にそれぞれ複数設定されてもよい。なお、予め規定されたスタートＲＢまたは基地局から通知されたスタートＲＢは、さらに領域毎にオフセットさせることができる。そのオフセットは、予め規定されてもよいし、基地局から通知されてもよい。
【０１３１】
また、第２の制御チャネル領域における探索領域の別の設定方法では、まず、第２の制御チャネル領域における所定の領域が設定され、設定された第２の制御チャネル領域における所定の領域に対して、第１の探索領域および／または第２の探索領域が設定される。例えば、第２の制御チャネル領域において、スタートとなるＲＢの番号（位置）とＲＢの数（範囲）が予め規定された領域は、第１の探索領域および／または第２の探索領域として設定できる。また、第２の制御チャネル領域における基地局１００から通知される所定の領域は、第１の探索領域および／または第２の探索領域として設定できる。その所定の領域は、基地局１００からＲＲＣシグナリングまたはＰＤＣＣＨシグナリングを通じて通知される。例えば、スタートとなるＲＢの番号（位置）とＲＢの数（範囲）が基地局１００から通知され、通知されたスタートとなるＲＢの番号（位置）とＲＢの数（範囲）に対して、第１の探索領域および／または第２の探索領域が設定される。なお、ＲＢ数は予め規定しておいてもよく、通知される情報はスタートＲＢのみでもよい。なお、第１の探索領域および第２の探索領域は、それぞれ１つのＲＢには１つの第２の制御チャネルの全部または一部がマッピングされる方法（Localizedマッピング）を用いた領域、および、１つのＲＢには複数の第２の制御チャネルの全部または一部がマッピングされる方法（Distributedマッピング）を用いた領域がさらに設定されてもよい。また、第１の探索領域および／または第２の探索領域は、１つの第２の制御チャネル領域にそれぞれ複数設定されてもよい。なお、予め規定されたスタートＲＢまたは基地局から通知されたスタートＲＢは、さらに領域毎にオフセットさせることができる。そのオフセットは、予め規定されてもよいし、基地局から通知されてもよい。
【０１３２】
また、第２の制御チャネル領域における探索領域の別の設定方法では、まず、第２の制御チャネル領域における所定の領域のインデックスが設定され、設定された第２の制御チャネル領域における所定の領域のインデックスに対して、第１の探索領域および／または第２の探索領域、および、スタートとなるＲＢの番号（位置）とＲＢの数（範囲）が設定される。その所定の領域のインデックスは、予め規定されてもよいし、基地局から通知されてもよい。なお、ＲＢ数は予め規定しておいてもよく、通知される情報はスタートＲＢのみでもよい。なお、第１の探索領域および第２の探索領域は、それぞれ１つのＲＢには１つの第２の制御チャネルの全部または一部がマッピングされる方法（Localizedマッピング）を用いた領域、および、１つのＲＢには複数の第２の制御チャネルの全部または一部がマッピングされる方法（Distributedマッピング）を用いた領域がさらに設定されてもよい。また、第１の探索領域および／または第２の探索領域は、１つの第２の制御チャネル領域にそれぞれ複数設定されてもよい。なお、予め規定されたスタートＲＢまたは基地局から通知されたスタートＲＢは、さらに領域毎にオフセットさせることができる。そのオフセットは、予め規定されてもよいし、基地局から通知されてもよい。
【０１３３】
また、第２の制御チャネル領域における探索領域の別の設定方法では、基地局１００の端末固有制御チャネル生成部において、基地局１００が端末２００に固有に設定する１つの第２の制御チャネル領域に設定される複数の探索領域のそれぞれに対して、端末２００に通知するブロードキャスト信号を含む制御チャネルおよび／またはユニキャスト信号を含む制御チャネルをマッピングすることができる。また、その複数の探索領域は、探索領域毎に、その探索領域を指定するリソースのスタート位置および／またはＲＢの数を、前記端末に通知することができる。また、その複数の探索領域は、探索領域毎に、分散マッピング方法を用いた領域または局所マッピング方法を用いた領域であることを端末２００に通知することができる。また、端末固有制御チャネル生成部は、  ブロードキャスト信号を含む制御チャネルを、第２の制御チャネル領域内の分散マッピング方法を用いた領域にマッピングすることができる。端末固有制御チャネル生成部は、ユニキャスト信号を含む制御チャネルを、第２の制御チャネル領域内の分散マッピング方法を用いた領域または局所マッピング方法を用いた領域にマッピングすることができる。一方、端末２００において、制御チャネル処理部は、基地局１００が端末２００に固有に設定する１つの第２の制御チャネル領域に設定される複数の探索領域のそれぞれに対して、基地局１００から通知されるブロードキャスト信号を含む制御チャネルおよび／またはユニキャスト信号を含む制御チャネルに対して検出処理を行うことができる。また、その複数の探索領域は、探索領域毎に、分散マッピング方法を用いた領域または局所マッピング方法を用いた領域であることを、前記基地局から通知されることができる。また、制御チャネル処理部は、ブロードキャスト信号を含む制御チャネルを検出処理する場合、分散マッピング方法を用いた領域として設定された探索領域に対して検出処理することができる。また、制御チャネル処理部は、ユニキャスト信号を含む制御チャネルを検出処理する場合、分散マッピング方法を用いた領域として設定された探索領域または局所マッピング方法を用いた領域として設定された探索領域に対して検出処理を行うことができる。
【０１３４】
以上のように、基地局１００が、端末２００に、第２の制御チャネル領域に対して、１つまたは複数の探索領域を設定することにより、基地局１００は、端末２００に対するスケジューリングの自由度を向上することができ、伝送効率が向上する。また、端末２００は、設定された領域毎に独立した処理が規定される場合、処理の重複を軽減することができ、処理量を低減できる。
【０１３５】
以下では、ブロードキャスト信号を含む制御チャネルおよびユニキャスト信号を含む制御チャネルに対する端末２００のブラインドデコーディングについて説明する。図１０は、ブロードキャスト信号を含む制御チャネルに対するブラインドデコーディングの候補を示す図である。また、図１１は、ユニキャスト信号を含む制御チャネルに対するブラインドデコーディングの候補を示す図である。図１０および図１１では、第２の制御チャネル領域は１６個のＲＢ（ＲＢ０〜ＲＢ１５）により構成される。また、第１の探索領域は、第２の制御チャネル領域における予め規定された領域として設定される。予め規定された領域は、スタートＲＢがＲＢ０であり、ＲＢ数が６で決定される領域である。すなわち、この例では、第１の探索領域は、ＲＢ０〜ＲＢ５である。また、第２の探索領域は、第２の制御チャネル領域における基地局１００から通知される領域として設定される。通知された領域は、スタートＲＢがＲＢ７であり、ＲＢ数が９で決定される領域である。すなわち、この例では、第２の探索領域は、ＲＢ７〜ＲＢ１５である。
【０１３６】
図９で示した例では、ブロードキャスト信号を含む制御チャネルは第１の探索領域にマッピングされる。そのため、端末２００は、図１０で示すように、第１の探索領域をブラインドデコーディングする。端末２００は、ブロードキャスト信号を含む制御チャネルに対するブラインドデコーディングを行う場合、第１の端末固有参照信号を用いて制御チャネルの復調処理を行う。また、図９で示した例では、ユニキャスト信号を含む制御チャネルは第１の探索領域および／または第２の探索領域にマッピングされる。そのため、端末２００は、図１１で示すように、第１の探索領域および第２の探索領域をブラインドデコーディングする。端末２００は、ユニキャスト信号を含む制御チャネルに対するブラインドデコーディングを行う場合、第２の端末固有参照信号を用いて制御チャネルの復調処理を行う。
【０１３７】
以上のように、ブロードキャスト信号を含む制御チャネルとユニキャスト信号を含む制御チャネルとを復調するための端末固有参照信号を異ならせることにより、ブロードキャスト信号を含む制御チャネルに対する第１の端末固有参照信号は複数の端末で共通の端末固有参照信号として設定でき、ユニキャスト信号を含む制御チャネルに対する第２の端末固有参照信号はそれぞれの端末に固有の端末固有参照信号として設定できる。そのため、端末２００は、ＣｏＭＰ通信によるユニキャスト信号を受信する場合において、他の端末に対する端末固有参照信号の衝突の影響を低減することができる。また、基地局１００は、ブロードキャスト信号を複数の端末に対して送信することができるため、リソースのオーバーヘッドを増やすことなく、効率的にブロードキャスト信号を通知できる。また、一部の制御チャネルを所定の探索領域に限定することにより、端末２００は、その制御チャネルをブラインドデコーディングする際の、端末固有参照信号を用いた復調処理の回数を限定することができるため、端末２００の処理量を低減することができる。
【０１３８】
なお、以上の説明では、端末２００は、１つの第２の制御チャネル領域に対して、第１の探索領域および第２の探索領域が設定される場合を説明したが、これに限定するものではない。例えば、基地局１００は、端末２００に、１つ以上の第２の制御チャネル領域を設定し、それぞれの第２の制御チャネル領域に対して、第１の探索領域または第２の探索領域のいずれかを設定することができる。また、例えば、基地局１００は、端末２００に、１つ以上の第２の制御チャネル領域を設定し、それぞれの第２の制御チャネル領域に対して、第１の端末固有参照信号または第２の端末固有参照信号のいずれかを用いて復調処理するように設定することができる。以上のような場合でも本発明の効果は同様に得られる。
【０１３９】
なお、以上の説明では、端末２００は、第２の制御チャネル領域に対して、第１の探索領域および第２の探索領域が設定される場合を説明したが、これに限定するものではない。例えば、基地局１００は、第２の制御チャネル領域に対して、１つのＲＢには１つの第２の制御チャネルの全部または一部がマッピングされる方法（Localizedマッピング）、または、１つのＲＢには複数の第２の制御チャネルの全部または一部がマッピングされる方法（Distributedマッピング）を設定することができる。すなわち、以上の説明において、第１の探索領域の設定は、Localizedマッピングを用いた領域であることの設定とすることができる。また、以上の説明において、第２の探索領域の設定は、Distributedマッピングを用いた領域であることの設定とすることができる。具体的には、基地局１００は、第２の制御チャネル領域に対して、Localizedマッピングを用いた場合、ユニキャスト信号を含む制御チャネルをマッピングする。また、基地局１００は、第２の制御チャネル領域に対して、Distributedマッピングを用いた場合、ブロードキャスト信号を含む制御チャネルおよび／またはユニキャスト信号を含む制御チャネルをマッピングする。一方、端末２００は、第２の制御チャネル領域に対して、Localizedマッピングが設定された場合、第２の端末固有参照信号を用いてブラインドデコーディングする。また、端末２００は、第２の制御チャネル領域に対して、Localizedマッピングが設定された場合、第１の端末固有参照信号および／または第２の端末固有参照信号を用いてブラインドデコーディングする。
【０１４０】
なお、以上の説明では、端末２００は、時間方向のリソースの単位である１つのサブフレームに対して、ブロードキャスト信号を含む制御チャネルおよび／またはユニキャスト信号を含む制御チャネルをマッピングされる場合を説明したが、これに限定するものではない。例えば、基地局１００は、端末２００に設定した第２の制御チャネル領域において、サブフレーム毎に、ブロードキャスト信号を含む制御チャネルまたはユニキャスト信号を含む制御チャネルをマッピングするようにしてもよい。また、例えば、基地局１００は、端末２００に設定した第２の制御チャネル領域において、サブフレーム毎に、第１の探索領域または第２の探索領域を設定するようにしてもよい。また、例えば、基地局１００は、端末２００に設定した第２の制御チャネル領域において、サブフレーム毎に、第１の端末固有参照信号または第２の端末固有参照信号を用いて復調処理するように設定するようにしてもよい。また、以上の説明では、時間方向のリソースの単位をサブフレームとした場合を説明したが、時間方向のリソースの単位であれば、同様に適用できる。
【０１４１】
なお、以上の説明では、端末２００は、周波数方向のリソースの単位である１つのコンポーネントキャリアに対して、ブロードキャスト信号を含む制御チャネルおよび／またはユニキャスト信号を含む制御チャネルをマッピングされる場合を説明したが、これに限定するものではない。例えば、基地局１００は、端末２００に設定した第２の制御チャネル領域において、コンポーネントキャリア毎に、ブロードキャスト信号を含む制御チャネルまたはユニキャスト信号を含む制御チャネルをマッピングするようにしてもよい。また、例えば、基地局１００は、端末２００に設定した第２の制御チャネル領域において、コンポーネントキャリア毎に、第１の探索領域または第２の探索領域を設定するようにしてもよい。また、例えば、基地局１００は、端末２００に設定した第２の制御チャネル領域において、サブフレーム毎に、第１の端末固有参照信号または第２の端末固有参照信号を用いて復調処理するように設定するようにしてもよい。また、以上の説明では、周波数方向のリソースの単位をコンポーネントキャリアとした場合を説明したが、周波数方向のリソースの単位であれば、同様に適用できる。
【０１４２】
なお、以上の説明では、ユニキャスト信号を含む制御チャネルは、第１の探索領域および第２の探索領域のいずれもマッピング出来る場合を説明したが、第２の探索領域のみにマッピングできるようにしてもよい。
【０１４３】
以下では、端末２００の第２の制御チャネル領域におけるブラインドデコーディングについて説明する。既に説明したように、端末２００は、基地局１００により設定された第２の制御チャネル領域において、ブロードキャスト信号を含む制御チャネルおよび／またはユニキャスト信号を含む制御チャネルに対するブラインドデコーディングを行う。その際、端末２００は、ブロードキャスト信号を含む制御チャネルを探索する場合、第１の端末固有参照信号を用いて、復調処理を行う。端末２００は、ユニキャスト信号を含む制御チャネルを探索する場合、第２の端末固有参照信号を用いて、復調処理を行う。復調処理された制御チャネルの候補は、自分宛の制御チャネルであるか否かを所定のＲＮＴＩに基づいて検出処理を行う。具体的には、端末２００は、その復調処理された制御チャネルの候補に対して、所定のＲＮＴＩから得られるＣＲＣ符号を用いて、復号を行い、正しく受信されたかどうかで判定する。
【０１４４】
ここで、端末２００は、復調処理する際に用いた端末固有参照信号に応じて、その後のＣＲＣ符号による検出処理を限定することができる。図１２は、端末固有参照信号に対するＲＮＴＩ、探索領域およびＤＣＩフォーマットの組み合わせの一例を示す図である。図１２に示すように、可能性のある組み合わせを予め規定しておくことにより、端末２００に対するブラインドデコーディングの処理量を低減することができる。
【０１４５】
端末２００は復調処理する際に用いた端末固有参照信号に応じて、その後の検出処理で用いるＲＮＴＩの種類を限定することができる。例えば、端末２００は、第１の端末固有参照信号を用いて復調処理を行った場合、復調処理を行った制御チャネルの候補に対する検出処理で用いるＲＮＴＩの種類をブロードキャスト信号に対するＲＮＴＩに限定する。ここで、ブロードキャスト信号に対するＲＮＴＩは、Ｐ−ＲＮＴＩまたはＳＩ−ＲＮＴＩなどである。また、例えば、端末２００は、第２の端末固有参照信号を用いて復調処理を行った場合、復調処理を行った制御チャネルの候補に対する検出処理で用いるＲＮＴＩの種類をユニキャスト信号に対するＲＮＴＩに限定する。ここで、ブロードキャスト信号に対するＲＮＴＩは、Ｃ−ＲＮＴＩ、Ｓｅｍｉ−ｐｅｒｓｉｓｔｅｎｔ  Ｓｃｈｅｄｕｌｉｎｇ  Ｃ−ＲＮＴＩまたはＲＡ−ＲＮＴＩなどである。以上のように、復調処理する際に用いた端末固有参照信号に応じて、その後のＣＲＣ符号による検出処理を限定することにより、端末２００は、ブラインドデコーディングに対する処理量を低減することができる。なお、復調処理する際に用いた端末固有参照信号ではなく、ブラインドデコーディングする探索領域に応じて、その後のＣＲＣ符号による検出処理を限定してもよい。
【０１４６】
また、端末２００は、復調処理する際に用いた端末固有参照信号および検出処理を行うＲＮＴＩに応じて、その後の検出処理を行うＤＣＩフォーマットの種類を限定することができる。例えば、端末２００は、第１の端末固有参照信号を用いて復調処理を行った場合、復調処理を行った制御チャネルの候補に対して、検出処理を行うＤＣＩフォーマットの種類を限定する。第１の端末固有参照信号を用いて復調処理を行い、Ｐ−ＲＮＴＩを用いて検出処理を行う場合、端末２００は、復調処理を行った制御チャネルの候補を、ＤＣＩフォーマット１ＣまたはＤＣＩフォーマット１Ａのいずれかとして検出処理を行う。第１の端末固有参照信号を用いて復調処理を行い、ＳＩ−ＲＮＴＩを用いて検出処理を行う場合、端末２００は、復調処理を行った制御チャネルの候補を、ＤＣＩフォーマット１ＣまたはＤＣＩフォーマット１Ａのいずれかとして検出処理を行う。また、例えば、端末２００は、第２の端末固有参照信号を用いて復調処理を行った場合、復調処理を行った制御チャネルの候補に対して、検出処理を行うＤＣＩフォーマットの種類を限定する。第２の端末固有参照信号を用いて復調処理を行い、ＲＡ−ＲＮＴＩを用いて検出処理を行う場合、端末２００は、復調処理を行った制御チャネルの候補を、ＤＣＩフォーマット１ＣまたはＤＣＩフォーマット１Ａのいずれかとして検出処理を行う。第２の端末固有参照信号を用いて復調処理を行い、Ｃ−ＲＮＴＩを用いて検出処理を行う場合、端末２００は、復調処理を行った制御チャネルの候補を、ＤＣＩフォーマット１Ａまたは設定されている送信モードに応じたＤＣＩフォーマットのいずれかとして検出処理を行う。また、図１２に示すように、端末２００は、ＤＣＩフォーマットに加えて、探索領域も考慮してブラインドデコーディングの数を限定することができる。以上のように、復調処理する際に用いた端末固有参照信号および検出処理を行うＲＮＴＩに応じて、その後の検出処理を行うＤＣＩフォーマットの種類を限定することにより、端末２００は、ブラインドデコーディングに対する処理量を低減することができる。なお、復調処理する際に用いた端末固有参照信号ではなく、ブラインドデコーディングする探索領域に応じて、その後のＣＲＣ符号による検出処理を限定してもよい。
【０１４７】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。なお、上記各実施形態では、プレコーディング処理されたＲＳを用いて復調する場合について説明し、プレコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ  ＲＳを用い、ポートとしては、プリコーディング処理後の出力端と等価であるポートあるいは物理アンテナ（あるいは物理アンテナの組み合わせ）と等価であるポートを用いることができる。
【０１４８】
本発明に関わる基地局１００および端末２００で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４９】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局１００および端末２００の一部、または全部を典型的には集積回路であるＬＳＩとして実現してもよい。基地局１００および端末２００の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５１】
本発明は、無線基地局装置や無線端末装置や無線通信システムや無線通信方法に用いて好適である。
【符号の説明】
【０１５２】
１００、１３０１  基地局
１０１、２０６  上位レイヤー
１０２  データチャネル生成部
１０３  第２の制御チャネル生成部
１０４  端末固有参照信号多重部
１０５  プレコーディング部
１０６  第１の制御チャネル生成部
１０７  セル固有参照信号多重部
１０８  送信信号生成部
１０９  送信部
２００、１３０２、１３０３、１４０４  端末
２０１  受信部
２０２  受信信号処理部
２０３  伝搬路推定部
２０４  制御チャネル処理部
２０５  データチャネル処理部
８０１〜８０４  制御チャネル
１４０４、１４０５、１５０５、１５０６  下りリンク
１４０１  マクロ基地局
１４０２  ＲＲＨ
１４０３  回線
【図１】
0005902916.tif 000008
【図２】
0005902916.tif 000009
【図３】
0005902916.tif 000010
【図４】
0005902916.tif 000011
【図５】
0005902916.tif 000012
【図６】
0005902916.tif 000013
【図７】
0005902916.tif 000014
【図８】
0005902916.tif 000015
【図９】
0005902916.tif 000016
【図１０】
0005902916.tif 000017
【図１１】
0005902916.tif 000018
【図１２】
0005902916.tif 000019
【図１３】
0005902916.tif 000020
【図１４】
0005902916.tif 000021